(57)【要約】【課題】セルの誤選択を抑制すること。【解決手段】端末１３０は、第１リソースが割り当てられる第１種別のセルと、第１種別のセルに付随させることで接続可能であり第２リソースが割り当てられる第２種別のセルと、を同時に用いた無線通信を行う。基地局１１０は、第１種別のセルを形成し、形成するセルに割り当てられた第１リソースに基づく同期信号を送信する。端末１３０は、基地局１１０が形成するセルから送信された同期信号と、第１種別のセルに対する第１リソースの割り当てに関する割当情報を受信し、基地局１１０が形成するセルを無線通信の第１種別のセルに選択する。【選択図】図１Ｂ
2015211292.tif 000002
【特許請求の範囲】
【請求項１】
第１リソースが割り当てられる第１種別の第１のセルと、前記第１種別のセルに付随させることで接続可能であり第２リソースが割り当てられる第２種別の第２のセルと、を同時に用いた無線通信を行う端末と、
少なくとも１つの前記第１のセルを形成し、前記第１のセルに割り当てられた前記第１リソースに基づく同期信号を送信する１つ以上の基地局と、
を含み、
前記端末は、前記第１のセルから送信された前記同期信号および／または前記第１のセルに対する前記第１リソースの割り当てに関する割当情報を受信し、前記１つ以上の基地局が形成する前記１つ以上の第１のセルから第１のセルを選択する、
ことを特徴とするシステム。
【請求項２】
１つ以上の前記基地局によって前記第１種別のセルが複数形成され、
前記端末は、前記同期信号および／または前記割当情報に基づいて前記第１種別の複数のセルを特定し、特定した前記第１種別の複数のセルの各無線回線品質を測定し、前記第１種別の複数のセルの中から前記第１のセルを選択する、
ことを特徴とする請求項１に記載のシステム。
【請求項３】
前記基地局（以下、「第１基地局」と称する）が形成する前記セル（以下、「第１セル」と称する）と異なる前記第２種別の第２セルを形成し、前記第２セルのリソースに基づく同期信号を送信する、前記第１基地局と同じまたは異なる第２基地局を含み、
前記端末は、送信された前記同期信号および／または前記第２リソースの割当情報に基づいて前記第２セルを前記第２種別のセルに選択する、
ことを特徴とする請求項１または２に記載のシステム。
【請求項４】
前記リソースは、セルの識別情報、またはセルの識別情報に関するパラメータであることを特徴とする請求項１〜３のいずれか一つに記載のシステム。
【請求項５】
前記第１リソースはセルの第１周波数であり、
前記第２リソースは前記第１周波数と異なるセルの第２周波数である、
ことを特徴とする請求項１〜３のいずれか一つに記載のシステム。
【請求項６】
前記基地局は、前記割当情報を報知し、
前記端末は、前記基地局によって報知された前記割当情報に基づいて前記第１のセルを選択する、
ことを特徴とする請求項１〜５のいずれか一つに記載のシステム。
【請求項７】
端末が、第１リソースが割り当てられる第１種別の第１のセルと、前記第１種別のセルに付随させることで接続可能であり第２リソースが割り当てられる第２種別の第２のセルと、を同時に用いた無線通信を行うシステムにおいて、
前記第１種別の第１のセルを形成し、
前記第１のセルに割り当てられた第１リソースに基づく同期信号を送信する送信部と、
前記送信された前記同期信号および／または前記割り当てられた前記第１リソースに関する割当情報に基づいて、前記第１のセルを前記第１種別のセルに選択した端末の接続を制御する制御部と、
を備えることを特徴とする基地局。
【請求項８】
第１リソースが割り当てられる第１種別の第１のセルと、前記第１種別のセルに付随させることで接続可能であり第２リソースが割り当てられる第２種別の第２のセルと、を同時に用いた無線通信を行い、
前記第１のセルを形成する基地局から、前記第１のセルに割り当てられた第１リソースに基づく同期信号を受信する受信部と、
受信した前記同期信号と、前記第１リソースの割り当てに関する割当情報と、に基づいて、前記第１のセルを前記第１種別のセルに選択する制御部と、
を備えることを特徴とする端末。
【請求項９】
第１リソースが割り当てられる第１種別の第１のセルと、前記第１種別のセルに付随させることで接続可能であり第２リソースが割り当てられる第２種別の第２のセルと、を同時に用いた無線通信を行う端末と、
少なくとも１つの前記第２のセルを形成し、前記第２のセルに割り当てられた第２リソースに基づく同期信号を送信する基地局と、
を含み、
前記端末は、送信された前記同期信号と、前記第２リソースの割り当てに関する割当情報と、に基づいて、前記第２のセルを前記第２種別のセルに選択する、
ことを特徴とするシステム。
【発明の詳細な説明】
【技術分野】
【０００１】
本発明は、システム、基地局および端末に関する。
【背景技術】
【０００２】
従来、ＬＴＥ（Ｌｏｎｇ  Ｔｅｒｍ  Ｅｖｏｌｕｔｉｏｎ）などの移動体通信システムにおいては、端末が無線品質に基づいて接続するまたは待ち受けする（キャンプする）セル（基地局）を選択するセル選択が行われる（たとえば、下記特許文献１〜４参照。）。また、プライマリセルとセカンダリセルを同時に用いて通信を行うキャリアアグリゲーション（ＣＡ：Ｃａｒｒｉｅｒ  Ａｇｇｒｅｇａｔｉｏｎ）が知られている。
【先行技術文献】
【特許文献】
【０００３】
【特許文献１】特表平７−５０９８２６号公報
【特許文献２】国際公開第２０１１／０８７０２２号
【特許文献３】特開２０１１−１２４７３２号公報
【特許文献４】国際公開第２０１０／１３４２０２号
【発明の概要】
【発明が解決しようとする課題】
【０００４】
しかしながら、上述した従来技術では、端末において、たとえばプライマリセルでの接続や待ち受けに対応していないセルをプライマリセルとして選択するなどの、セルの誤選択が発生する場合がある。すなわち、接続や待ち受けに適していないセルを選択するなどの、セルの誤選択が発生する場合がある。
【０００５】
１つの側面では、本発明は、セルの誤選択を抑制することができるシステム、基地局および端末を提供することを目的とする。
【０００６】
また、別の側面では、本発明は、適切なセルを選択可能なシステム、基地局および端末を提供することを目的とする。
【０００７】
また、別の側面では、本発明は、種別の異なるセルに対して適切な種別のセルを選択することができるシステム、基地局および端末を提供することを目的とする。
【課題を解決するための手段】
【０００８】
上述した課題を解決し、目的を達成するため、本発明の一側面によれば、端末が、第１リソースが割り当てられる第１種別の第１のセルと、前記第１種別のセルに付随させることで接続可能であり第２リソースが割り当てられる第２種別の第２のセルと、を同時に用いた無線通信を行い、１つ以上の基地局が、少なくとも１つの前記第１のセルを形成し、前記第１のセルに割り当てられた前記第１リソースに基づく同期信号を送信し、前記端末が、前記第１のセルから送信された前記同期信号および／または前記第１のセルに対する前記第１リソースの割り当てに関する割当情報を受信し、前記１つ以上の基地局が形成する前記１つ以上の第１のセルから第１のセルを選択するシステム、基地局および端末が提案される。
【０００９】
また、本発明の別の側面によれば、端末が、第１リソースが割り当てられる第１種別の第１のセルと、前記第１種別のセルに付随させることで接続可能であり第２リソースが割り当てられる第２種別の第２のセルと、を同時に用いた無線通信を行い、基地局が、少なくとも１つの前記第２のセルを形成し、前記第２のセルに割り当てられた第２リソースに基づく同期信号を送信し、前記端末が、送信された前記同期信号と、前記第２リソースの割り当てに関する割当情報と、に基づいて、前記第２のセルを前記第２種別のセルに選択するシステム、基地局および端末が提案される。
【発明の効果】
【００１０】
本発明の一側面によれば、セルの誤選択を抑制することができるという効果を奏する。
【００１１】
また、別の側面によれば、適切なセルが選択可能になるという効果を奏する。
【００１２】
また、別の側面によれば、種別の異なるセルに対して適切なセルを選択することができるという効果を奏する。
【図面の簡単な説明】
【００１３】
【図１Ａ】図１Ａは、実施の形態１にかかるシステムの一例を示す図である。
【図１Ｂ】図１Ｂは、図１Ａに示したシステムにおける信号の流れの一例を示す図である。
【図１Ｃ】図１Ｃは、実施の形態１にかかるシステムの変形例を示す図である。
【図１Ｄ】図１Ｄは、図１Ｃに示したシステムにおける信号の流れの一例を示す図である。
【図２】図２は、実施の形態２にかかる通信システムの一例を示す図である。
【図３Ａ】図３Ａは、キャリアアグリゲーションの例１を示す図である。
【図３Ｂ】図３Ｂは、キャリアアグリゲーションの例２を示す図である。
【図３Ｃ】図３Ｃは、キャリアアグリゲーションの例３を示す図である。
【図４Ａ】図４Ａは、ＰセルおよびＳセルの例１を示す図である。
【図４Ｂ】図４Ｂは、ＰセルおよびＳセルの例２を示す図である。
【図４Ｃ】図４Ｃは、ＰセルおよびＳセルの例３を示す図である。
【図５Ａ】図５Ａは、階層化セル構成の一例を示す図である。
【図５Ｂ】図５Ｂは、階層化セル構成におけるキャリアアグリゲーションの一例を示す図である。
【図６Ａ】図６Ａは、Ｓセルとなる基地局の例１を示す図である。
【図６Ｂ】図６Ｂは、Ｓセルとなる基地局の例２を示す図である。
【図６Ｃ】図６Ｃは、Ｓセルとなる基地局の例３を示す図である。
【図７Ａ】図７Ａは、競合ベースのランダムアクセスの一例を示す図である。
【図７Ｂ】図７Ｂは、非競合ベースのランダムアクセスの一例を示す図である。
【図８Ａ】図８Ａは、実施の形態２にかかる基地局の一例を示す図である。
【図８Ｂ】図８Ｂは、図８Ａに示した基地局における信号の流れの一例を示す図である。
【図８Ｃ】図８Ｃは、実施の形態２にかかる基地局のハードウェア構成の一例を示す図である。
【図９Ａ】図９Ａは、実施の形態２にかかる端末の一例を示す図である。
【図９Ｂ】図９Ｂは、図９Ａに示した端末における信号の流れの一例を示す図である。
【図９Ｃ】図９Ｃは、実施の形態２にかかる端末のハードウェア構成の一例を示す図である。
【図１０】図１０は、実施の形態２にかかる端末によるＰセル接続処理の一例を示すフローチャートである。
【図１１】図１１は、実施の形態２にかかる端末によるＰセル接続処理の変形例１を示すフローチャートである。
【図１２】図１２は、実施の形態２にかかる端末によるＳセル接続処理の一例を示すフローチャートである。
【図１３】図１３は、実施の形態２にかかる基地局（Ｐセル）によるＳセル選択処理の一例を示すフローチャートである。
【図１４】図１４は、実施の形態２にかかる端末によるＳセル接続処理の変形例を示すフローチャートである。
【図１５】図１５は、ＰセルおよびＳセルに対するセルＩＤの割り当ての一例を示す図である。
【図１６】図１６は、実施の形態３にかかる端末によるセル接続処理の一例を示すフローチャートである。
【図１７】図１７は、実施の形態３にかかる端末によるセル再選択時のセル接続処理の一例を示すフローチャートである。
【図１８】図１８は、実施の形態３にかかる基地局（Ｐセル）によるＳセル選択処理の一例を示すフローチャートである。
【図１９Ａ】図１９Ａは、位置登録エリアごとのセルＩＤ使い分け情報の一例を示す図である。
【図１９Ｂ】図１９Ｂは、端末の位置登録エリアの移動の一例を示す図である。
【図２０Ａ】図２０Ａは、実施の形態４にかかる基地局の一例を示す図である。
【図２０Ｂ】図２０Ｂは、図２０Ａに示した基地局における信号の流れの一例を示す図である。
【図２１Ａ】図２１Ａは、実施の形態４にかかる端末の一例を示す図である。
【図２１Ｂ】図２１Ｂは、図２１Ａに示した端末における信号の流れの一例を示す図である。
【図２２Ａ】図２２Ａは、受信無線部の一例を示す図である。
【図２２Ｂ】図２２Ｂは、図２２Ａに示した受信無線部における信号の流れの一例を示す図である。
【図２３】図２３は、実施の形態４にかかる端末によるＰセル接続処理の一例を示すフローチャートである。
【図２４】図２４は、実施の形態４にかかる端末によるＰセル接続処理の変形例を示すフローチャートである。
【図２５】図２５は、実施の形態４にかかる端末によるＳセル接続処理の一例を示すフローチャートである。
【図２６】図２６は、実施の形態４にかかる端末によるＳセル接続処理の変形例１を示すフローチャートである。
【図２７】図２７は、実施の形態４にかかる端末によるＳセル接続処理の変形例２を示すフローチャートである。
【発明を実施するための形態】
【００１４】
以下に図面を参照して、本発明にかかるシステム、基地局および端末の実施の形態を詳細に説明する。
【００１５】
（実施の形態１）
（実施の形態１にかかるシステム）
図１Ａは、実施の形態１にかかるシステムの一例を示す図である。図１Ｂは、図１Ａに示したシステムにおける信号の流れの一例を示す図である。図１Ａ，図１Ｂに示すように、実施の形態１にかかるシステム１００は、基地局１１０と、基地局１２０と、端末１３０と、を含む。
【００１６】
システム１００においては、端末１３０が、第１種別のセルと、第２種別のセルと、を同時に用いた無線通信を行う。この無線通信は、一例としてはキャリアアグリゲーションのように複数のセル（または帯域）を同時に用いる通信である。第１種別のセルは、他のセルに付随させずに単独で接続可能なセルである。第２種別のセルは、第１種別のセルに付随させることで接続可能であり、単独では接続不可なセルである。
【００１７】
システム１００において、第１種別のセルには１つ以上の第１リソースが割り当てられ、第２種別のセルには１つ以上の第２リソースが割り当てられる。第２リソースは第１リソースと異なるリソースである。
【００１８】
たとえば、リソースはセルの識別情報である。この場合は、第１リソースは１つ以上の第１識別情報であり、第２リソースは第１識別情報と異なる１つ以上の第２識別情報である。セルの識別情報は、たとえばセルＩＤである。
【００１９】
または、リソースはセルの識別情報に応じたパラメータであってもよい。この場合は、第１リソースは１つ以上の第１パラメータであり、第２リソースは第１パラメータと異なる１つ以上の第２パラメータである。セルの識別情報に応じたパラメータは、たとえばセルＩＤから算出可能な値であって、一例としてはセルＩＤを所定値で除算した商や誤りに相当する値である。
【００２０】
または、リソースはセルの周波数（周波数帯域）であってもよい。この場合は、第１リソースは１つ以上の第１周波数であり、第２リソースは第１周波数と異なる１つ以上の第２周波数である。
【００２１】
基地局１１０は、第１種別の第１セルを形成する第１基地局である。基地局１１０は、送信部１１１と、制御部１１２と、を備える。送信部１１１は、上述した第１リソースのうちの第１セルに割り当てられたリソースに基づく同期信号を第１セルにより送信する。制御部１１２は、端末１３０が第１セルを無線通信の第１種別のセルに選択した場合に、端末１３０の第１セルへの接続を制御する。制御部１１２による接続の制御は、たとえば送信部１１１を介して行うことができる。
【００２２】
基地局１２０は、たとえば基地局１１０と異なる第２基地局である。基地局１２０は、第２種別の第２セルを形成する。
【００２３】
端末１３０は、受信部１３１と、制御部１３２と、を備える。受信部１３１は、基地局１１０から送信された同期信号を受信する。そして、受信部１３１は、受信した同期信号を制御部１３２へ出力する。
【００２４】
制御部１３２は、受信部１３１から出力された同期信号と、第１種別のセルに対する第１リソースの割り当てを示す割当情報と、に基づいて、基地局１１０が形成する第１セルを無線通信の第１種別のセルに選択し、端末１３０の第１セルへの接続を制御する。また、制御部１３２は、基地局１２０が形成する第２セルを無線通信の第２種別のセルに選択し、端末１３０の第２セルへの接続を制御する。これにより、端末１３０が、第１種別のセルと第２種別のセルとを同時に用いた無線通信を行うことができる。
【００２５】
このように、実施の形態１にかかる基地局１１０は、第１リソースのうちの第１セルに割り当てられたリソースに基づく同期信号を第１セルにより送信する。これにより、端末１３０は、第１種別のセルに対する第１リソースの割り当てを示す割当情報を用いることで、第１セルが第１種別のセルであることを確認し、第１種別のセルに第１セルを選択して接続することができる。このため、たとえば単独では接続不可な第２セルを第１種別に選択するなどの、端末１３０における第１種別のセルの誤選択を抑制することができる。すなわち、適切なセルを選択できる。
【００２６】
セルの誤選択の抑制や適切なセルの選択により、たとえば接続の失敗を抑制し、通信の効率化を図ることができる。たとえば、端末１３０および基地局１１０，１２０におけるセル再選択やハンドオーバ処理などの発生を抑制し、伝送速度の低下を防止することができる。
【００２７】
＜各基地局の関係＞
基地局１１０が第１種別の第１セルを形成し、基地局１１０と異なる基地局１２０が第２種別の第２セルを形成する場合について説明したが、基地局１２０は基地局１１０と同一の基地局であってもよい。すなわち、たとえば基地局１１０が第１種別の第１セルおよび第２種別の第２セルを形成するようにしてもよい。この場合は、端末１３０は、基地局１１０が形成する第１セルおよび第２セルを同時に用いて無線通信を行う。
【００２８】
また、基地局１１０と基地局１２０が異なる基地局である場合に、基地局１２０は、たとえば、基地局１１０のセル内に設けられ、基地局１１０より小さいセルを形成する基地局である。ただし、このような構成に限らず、たとえば、基地局１１０が、基地局１２０のセル内に設けられ、基地局１２０より小さいセルを形成する基地局であってもよい。また、基地局１１０が、基地局１２０のセルに対して少なくとも一部が重なるようなセルを形成する基地局であってもよい。
【００２９】
＜第１種別のセルおよび第２種別のセル＞
一例として、システム１００をＬＴＥシステムに適用する場合は、上述した第１種別のセルをたとえばプライマリセル（または第１のセル、ファーストセル、第１の帯域、主帯域、主セル（メインセル、マスタセル）など）とすることができる。また、第２種別のセルをたとえばセカンダリセル（または第２のセル、第２の帯域、副帯域、副セル（サブセル）、従属セル、拡張帯域、拡張セルなど）とすることができる。
【００３０】
なお、あるセルが第１種別のセルであり、かつ第２種別のセルであってもよい。また、あるセルが、ある端末に対しては第１種別であり、別なある端末に対しては第２種別のセルであってもよい。
【００３１】
＜無線回線品質に基づく第１種別のセルの選択＞
また、端末１３０が接続可能な第１種別のセルが複数ある場合について説明する。第１種別の複数のセルは、１つの基地局１１０または２つ以上の基地局１１０によって形成される。この場合に、端末１３０は、基地局１１０から送信された同期信号と上述した割り当て情報に基づいて、第１種別の複数のセルを特定し、特定した第１種別の複数のセルの端末１３０における各無線回線品質を測定する。
【００３２】
そして、端末１３０は、各無線品質の測定結果に基づいて、第１種別の複数のセルの中から、無線通信のための接続対象の第１種別のセルを選択する。これにより、第１種別の複数のセルのうちの無線品質が良好なセルを無線通信の第１種別のセルに選択し、通信品質の向上を図ることができる。
【００３３】
＜端末による第２種別のセルの選択＞
基地局１２０は、上述した第２リソースのうちの第２セルに割り当てられたリソースに基づく同期信号を第２セルにより送信してもよい。これに対して、端末１３０は、基地局１２０から送信された同期信号と、第２種別のセルに対する第２リソースの割り当てを示す割当情報と、に基づいて、基地局１２０が形成する第２セルを無線通信の第２種別のセルに選択する。
【００３４】
＜無線回線品質に基づく第２種別のセルの選択＞
端末１３０が選択可能な第２種別のセルが複数ある場合について説明する。第２種別の複数のセルは、１つの基地局１２０または２つ以上の基地局１２０によって形成される。端末１３０は、基地局１２０から送信された同期信号と上述した割当情報とに基づいて、第２種別の複数のセルを特定し、特定した第２種別の複数のセルの端末１３０における各無線回線品質を測定する。
【００３５】
そして、端末１３０は、各無線品質の測定結果に基づいて、第２種別の複数のセルの中から無線通信の第２種別のセルを選択する。これにより、第２種別の複数のセルのうちの無線品質が良好なセルを無線通信の第２種別のセルに選択し、通信品質の向上を図ることができる。
【００３６】
または、端末１３０は、各無線品質の測定結果を基地局１１０へ送信してもよい。これに対して、基地局１１０は、端末１３０から送信された測定結果に基づいて、第２種別の複数のセルの中から無線通信の第２種別のセルを選択する。そして、基地局１１０は、選択したセルを端末１３０へ通知する。端末１３０は、基地局１１０から通知されたセルを第２種別のセルとして選択する。これにより、第２種別の複数のセルのうちの無線品質が良好なセルを無線通信の第２種別のセルに選択し、通信品質の向上を図ることができる。なお、複数のセルを第２種別のセルとして選択してもよい。
【００３７】
＜第１周波数と第２周波数の関係＞
上述したようにリソースが周波数である場合は、たとえば、基地局１１０の第１セル（大セル）の第１周波数を、基地局１２０の第２セル（小セル）の第２周波数より低い周波数としてもよい。これにより、より伝搬距離が長い低周波を大セルに割り当て、通信効率の向上を図ることができる。
【００３８】
図１Ｃは、実施の形態１にかかるシステムの変形例を示す図である。図１Ｄは、図１Ｃに示したシステムにおける信号の流れの一例を示す図である。図１Ｃ，図１Ｄにおいて、図１Ａ，図１Ｂに示した部分と同様の部分については同一の符号を付して説明を省略する。基地局１２０は、送信部１２１と、制御部１２２と、を備える。
【００３９】
送信部１２１は、上述した第２リソースのうちの第２セルに割り当てられたリソースに基づく同期信号を第２セルにより送信する。制御部１２２は、端末１３０が第２セルを無線通信の第２種別のセルに選択した場合に、端末１３０の第２セルへの接続を制御する。制御部１２２による接続の制御は、たとえば送信部１２１を介して行うことができる。
【００４０】
端末１３０の受信部１３１は、基地局１２０から送信された同期信号を受信する。そして、受信部１３１は、受信した同期信号を制御部１３２へ出力する。制御部１３２は、基地局１１０が形成する第１セルを無線通信の第１種別のセルに選択し、端末１３０の第１セルへの接続を制御する。また、制御部１３２は、受信部１３１から出力された同期信号と、第２種別のセルに対する第２リソースの割り当てを示す割当情報と、に基づいて、基地局１２０が形成する第２セルを無線通信の第２種別のセルに選択し、端末１３０の第２セルへの接続を制御する。これにより、端末１３０が、第１種別のセルと第２種別のセルとを同時に用いた無線通信を行うことができる。
【００４１】
このように、実施の形態１にかかる基地局１２０が、第２リソースのうちの第２セルに割り当てられたリソースに基づく同期信号を第２セルにより送信するようにしてもよい。これにより、端末１３０は、第２セルが第２種別のセルであることを確認し、第２種別のセルに第２セルを選択して接続することができる。このため、たとえば単独では接続可能な第１セルを第２種別に選択するなどの、端末１３０における第２種別のセルの誤選択を抑制することができる。すなわち適切なセルを選択することができる。
【００４２】
セルの誤選択の抑制や適切なセルの選択により、たとえば接続の失敗を抑制し、通信の効率化を図ることができる。たとえば、端末１３０および基地局１１０，１２０におけるセル再選択やハンドオーバ処理などの発生を抑制し、伝送速度の低下を防止することができる。
【００４３】
（実施の形態２）
たとえば、現在、３ＧＰＰ（３ｒｄ  Ｇｅｎｅｒａｔｉｏｎ  Ｐａｒｔｎｅｒｓｈｉｐ  Ｐｒｏｊｅｃｔ）において、ＬＴＥシステムおよびＬＴＥ−Ａｄｖａｎｃｅｄシステムの仕様が検討されている。ＬＴＥシステムはＬＴＥリリース８として仕様が策定されている。さらに、現在、ＬＴＥシステムの発展形であるＬＴＥ−Ａｄｖａｎｃｅｄシステムが検討されており、ＬＴＥ−Ａｄｖａｎｃｅｄシステムの初版の仕様書がＬＴＥリリース１０として作成された。さらに、３ＧＰＰにおいて、ＬＴＥリリース１０の後継となるＬＴＥリリース１２などが検討されている。
【００４４】
（実施の形態２にかかる通信システム）
図２は、実施の形態２にかかる通信システムの一例を示す図である。図２に示すように、実施の形態２にかかる通信システム２００は、ＭＭＥ／Ｓ−ＧＷ２１１，２１２と、基地局２２１〜２２３（ｅＮＢ）と、を含むＬＴＥシステム−Ａｄｖａｎｃｅｄ（ＬＴＥリリース１０）である。また、通信システム２００は、基地局２２１〜２２３との間で無線通信を行う端末（ＵＥ：Ｕｓｅｒ  Ｅｑｕｉｐｍｅｎｔ）を含んでもよい。
【００４５】
ＭＭＥ／Ｓ−ＧＷ２１１，２１２のそれぞれは、ＬＴＥシステムにおけるＭＭＥ（Ｍｏｂｉｌｉｔｙ  Ｍａｎａｇｅｍｅｎｔ  Ｅｎｔｉｔｙ）およびＳ−ＧＷ（Ｓｅｒｖｉｎｇ  Ｇａｔｅｗａｙ）の機能を備える。また、ＭＭＥ／Ｓ−ＧＷ２１１は、基地局２２１，２２２とＳ１インタフェースによって接続されている。また、ＭＭＥ／Ｓ−ＧＷ２１２は、基地局２２２，２２３とＳ１インタフェースによって接続されている。
【００４６】
基地局２２１〜２２３のそれぞれは、ＬＴＥシステムのＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）のｅＮｏｄｅＢである。基地局２２１〜２２３は、基地局間インタフェースであるＸ２インタフェースによって互いに接続されている。また、基地局２２１〜２２３のそれぞれは、無線通信によって端末との間でデータ通信を行う。端末のそれぞれは、携帯電話などの移動端末（移動局）である。
【００４７】
以下、図２に示した通信システム２００を例として説明する。ただし、本願発明は、図２に示した通信システム２００に限らず、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）システム、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）システムなどの各種の移動体通信システムや無線通信システムに適用することができる。なお、ＧＳＭは登録商標である。
【００４８】
＜キャリアアグリゲーション＞
ＬＴＥ−Ａｄｖａｎｃｅｄシステムの特徴の一つである帯域幅の拡大を実現する方法について説明する。ＬＴＥシステムでは、上り／下り帯域幅を、１．４［ＭＨｚ］、３［ＭＨｚ］、５［ＭＨｚ］、１０［ＭＨｚ］、１５［ＭＨｚ］、２０［ＭＨｚ］と設定することが可能である。これらは、たとえば３ＧＰＰのＴＳ３６．１０１およびＴＳ３６．１０４などで規定されている。
【００４９】
また、これらの設定された帯域はコンポーネントキャリア（ＣＣ：Ｃｏｍｐｏｎｅｎｔ  Ｃａｒｒｉｅｒ）と呼ばれている。複数の帯域幅が設定されている理由は、ＧＳＭシステムやＷ−ＣＤＭＡシステムに対して割り当てられた帯域幅をそのまま使用することを前提としているためである。
【００５０】
一方で、ＬＴＥシステムにおいては、ＧＳＭシステムやＷ−ＣＤＭＡシステムと比較して高速伝送を実現することが求められている。よって、ＧＳＭシステムやＷ−ＣＤＭＡシステムと比較して、ＬＴＥシステムは帯域幅が広帯域であることが求められる。
【００５１】
一般的に、無線通信システムで使用する帯域は、国ごとの事情により異なる。また、欧州では、陸続きで他国と隣接しているため干渉を考慮することが求められ、各国間で使用周波数帯域が調整されている。この結果、使用できる帯域幅は減少し、細切れとなっている。一方で、上述のように、ＬＴＥシステムは帯域幅が広帯域であることが求められる。
【００５２】
そこで、狭くかつ細切れになっている帯域を統合して広帯域化する方法として、キャリアアグリゲーションが導入されることとなった。キャリアアグリゲーションを実施する際は、端末ごとに主となるセルが設定される。この主となるセルは、第１のセル、プライマリセル（Ｐｒｉｍａｒｙ  Ｃｅｌｌ）、ファーストセル（Ｆｉｒｓｔ  Ｃｅｌｌ）、第１の帯域（Ｆｉｒｓｔ  Ｂａｎｄ）、主帯域（Ｐｒｉｍａｒｙ  Ｂａｎｄ）、マスターセル（Ｍａｓｔｅｒ  Ｃｅｌｌ）、主セルなどと呼ばれる。以下、この主となるセルをＰセルと称する。上述した第１種別のセルは、たとえばＰセルである。
【００５３】
なお、セルとコンポーネントキャリア（帯域）は、本来意味合いが異なるが、３ＧＰＰにおけるセルの定義は「一つの周波数を用いて一つのサービスエリアを構成するもの」となっている。よって、コンポーネントキャリアに対して一つのセルが構成されると定義され、セルとコンポーネントキャリアは１対１の対応となるため、セルとコンポーネントキャリアを同義として扱うことができる。また、１つの基地局は１つの帯域のみであることから、基地局とコンポーネントキャリアも同義として扱うこともできる。
【００５４】
キャリアアグリゲーションにおいては、設定されたＰセルに対して別のセル（帯域）が追加、統合される。この追加されるセルは、第２のセル、セカンダリセル（Ｓｅｃｏｎｄａｒｙ  Ｃｅｌｌ）、第２の帯域（Ｓｅｃｏｎｄａｒｙ  Ｂａｎｄ）、副帯域（Ｓｕｂ  Ｂａｎｄ）、従属セル（Ｓｌａｖｅ  Ｃｅｌｌ）、副セル、拡張帯域、拡張セルなどと呼ばれる。以下、この追加されるセルをＳセルと称する。Ｐセルと同様にＳセルとコンポーネントキャリアは同義である。上述した第２種別のセルは、たとえばＳセルである。
【００５５】
なお、これらのセルは、１つのシステムの帯域を分割したものではあるが、それぞれの帯域においてスケジューリングを実施することが可能であり、１つのシステムを構成することができるものである。このため、これらのセルは、たとえばＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ：直交周波数分割多重アクセス）においてユーザ多重を実施するために複数のサブキャリアをまとめたブロック（またはクラスタ）を構成するものとは異なる。
【００５６】
キャリアアグリゲーションにおいては、たとえばＳセルは最大で７つまで設定可能である。すなわち、Ｐセルと合わせて最大で８つのコンポーネントキャリアを用いてキャリアアグリゲーションが可能である。なお、ＬＴＥ−Ａｄｖａｎｃｅｄシステムでは、最大で１００［ＭＨｚ］の帯域幅が想定されている。このため、１つのコンポーネントキャリアの帯域幅が２０［ＭＨｚ］の場合は、Ｓセルは最大で４つであり、ＰセルとＳセルとを合わせて最大で５つのコンポーネントキャリアを用いたキャリアアグリゲーションが可能である。
【００５７】
すなわち、キャリアアグリゲーションは、Ｐセルと少なくとも一つのＳセルを統合するものである（たとえば図３Ａ〜図３Ｃ参照）。以下、説明の簡略化のために、１つの端末において、２つのコンポーネントキャリア（すなわちＰセルとＳセルを１つずつ）でキャリアアグリゲーションを実施する場合について説明する（図４Ｃなどを除く）。ただし、２つ目以降のＳセルを追加していくことで、３つ以上のコンポーネントキャリアでキャリアアグリゲーションを実施することもできる（たとえば図４Ｃなどを参照）。
【００５８】
（キャリアアグリゲーションの例）
図３Ａは、キャリアアグリゲーションの例１を示す図である。図３Ａに示すシステム帯域３１０は、３．５［ＧＨｚ］帯の周波数帯域である。システム帯域３１０の帯域幅は８０［ＭＨｚ］である。システム帯域３１０には、たとえばコンポーネントキャリアＣＣ２〜ＣＣ５が含まれる。コンポーネントキャリアＣＣ２〜ＣＣ５の帯域幅はそれぞれ２０［ＭＨｚ］である。
【００５９】
キャリアアグリゲーションにおいては、たとえば、図３Ａに示すように、コンポーネントキャリアＣＣ２，ＣＣ３を統合して用いることができる。このように、キャリアアグリゲーションにおいては、たとえば互いに隣接する各コンポーネントキャリアを統合して用いることができる。
【００６０】
図３Ｂは、キャリアアグリゲーションの例２を示す図である。図３Ｂにおいて、図３Ａに示した部分と同様の部分については同一の符号を付して説明を省略する。キャリアアグリゲーションにおいては、たとえば、図３Ｂに示すように、コンポーネントキャリアＣＣ２，ＣＣ４を統合して用いることもできる。このように、キャリアアグリゲーションにおいては、互いに隣接しない各コンポーネントキャリアを統合して用いることもできる。
【００６１】
図３Ｃは、キャリアアグリゲーションの例３を示す図である。図３Ｃにおいて、図３Ａに示した部分と同様の部分については同一の符号を付して説明を省略する。図３Ｃに示すシステム帯域３２０は、２［ＧＨｚ］帯の周波数帯域である。システム帯域３２０には、たとえばコンポーネントキャリアＣＣ１が含まれる。コンポーネントキャリアＣＣ１の帯域幅は２０［ＭＨｚ］である。
【００６２】
キャリアアグリゲーションにおいては、たとえば、図３Ｃに示すように、それぞれシステム帯域３１０，３２０に含まれるコンポーネントキャリアＣＣ１，ＣＣ２を統合して用いることもできる。このように、キャリアアグリゲーションにおいては、異なる周波数帯の各コンポーネントキャリアを統合して用いることもできる。
【００６３】
（ＰセルおよびＳセルの例）
図４Ａは、ＰセルおよびＳセルの例１を示す図である。図４Ａにおいて、図３Ａに示した部分と同様の部分については同一の符号を付して説明を省略する。図４Ａは、キャリアアグリゲーションにおいて、コンポーネントキャリアＣＣ２をＰセルとして選択し、コンポーネントキャリアＣＣ３をＳセルとして選択することで広帯域化が図られる場合を示している。また、図４Ａに示す例では、コンポーネントキャリアＣＣ２，ＣＣ３のそれぞれには、制御ＣＨであるＰＤＣＣＨ（Ｐｈｙｓｉｃａｌ  Ｄｏｗｎｌｉｎｋ  Ｃｏｎｔｒｏｌ  ＣＨａｎｎｅｌ：物理下りリンク制御チャネル）およびデータＣＨであるＰＤＳＣＨ（Ｐｈｙｓｉｃａｌ  Ｄｏｗｎｌｉｎｋ  Ｓｈａｒｅｄ  ＣＨａｎｎｅｌ：物理下りリンク共有チャネル）が含まれている。
【００６４】
この場合は、コンポーネントキャリアＣＣ２，ＣＣ３がともにスケジューリングセル（サービングセル）となる。すなわち、コンポーネントキャリアＣＣ２，ＣＣ３のそれぞれにおいて、スケジューリングが行われ、スケジューリングに関する制御信号がＰＤＣＣＨによって伝送される。スケジューリングに関する制御信号には、たとえば、端末の選択、使用する無線リソース、変調方式および符号化率などが含まれる。なお、トランスポートチャネルとしての下り制御チャネルには、たとえばＤＣＣＨ（Ｄｏｗｎｌｉｎｋ  Ｃｏｎｔｒｏｌ  ＣＨａｎｎｅｌ：下りリンク制御チャネル）が用いられる。
【００６５】
図４Ａに示した例においては、たとえばＷ−ＣＤＭＡのＨＳＤＰＡ（Ｈｉｇｈ  Ｓｐｅｅｄ  Ｄｏｗｎｌｉｎｋ  Ｐａｃｋｅｔ  Ａｃｃｅｓｓ）と同様に、各セルにおいて、データ伝送のための下り無線共有チャネルと下り無線制御チャネルを用いたデータ伝送が実施される。下り無線共有チャネルは、たとえばＰＤＳＣＨである。下り無線制御チャネルは、たとえばＥ−ＰＤＣＣＨ（Ｅｎｈａｎｃｅｄ−Ｐｈｙｓｉｃａｌ  Ｄｏｗｎｌｉｎｋ  Ｃｏｎｔｒｏｌ  ＣＨａｎｎｅｌ：拡張物理下りリンク制御チャネル）である。ここで、データとは、端末個別のデータを意味する。端末個別のデータはユーザデータ（Ｕｓｅｒ  Ｄａｔａ）または個別データ（Ｄｅｄｉｃａｔｅｄ  Ｄａｔａ）である。
【００６６】
図４Ｂは、ＰセルおよびＳセルの例２を示す図である。図４Ｂにおいて、図４Ａに示した部分と同様の部分については同一の符号を付して説明を省略する。図４Ｂに示す例では、コンポーネントキャリアＣＣ３のＰＤＳＣＨのためのＰＤＣＣＨがコンポーネントキャリアＣＣ２に含まれている。この場合は、コンポーネントキャリアＣＣ２がスケジューリングセルとなり、コンポーネントキャリアＣＣ３はノンスケジューリングセル（またはノンサービングセル）となる。
【００６７】
すなわち、コンポーネントキャリアＣＣ２においては、コンポーネントキャリアＣＣ２に加えてコンポーネントキャリアＣＣ３のスケジューリングが行われる。そして、コンポーネントキャリアＣＣ２，ＣＣ３に関する各制御信号がコンポーネントキャリアＣＣ２のＰＤＣＣＨによって伝送される。また、このとき、コンポーネントキャリアＣＣ２，ＣＣ３のうちのいずれの制御信号であるかを示す情報も各制御信号に付加されて伝送される。
【００６８】
また、コンポーネントキャリアＣＣ３においてはスケジューリングが行われない。そして、コンポーネントキャリアＣＣ３のＰＤＳＣＨは、コンポーネントキャリアＣＣ２のＰＤＣＣＨによって伝送される制御信号に基づいて伝送される。
【００６９】
図４Ｂに示したスケジューリングおよび制御信号の伝送の方法は、クロスキャリアスケジューリング（Ｃｒｏｓｓ  Ｃａｒｒｉｅｒ  Ｓｃｈｅｄｕｌｉｎｇ）と呼ばれている。クロスキャリアスケジューリングにおいて、スケジューリングセルは、ＰセルまたはＳセルであり、ノンスケジューリングセルはＳセルのみである。すなわち、Ｐセルはスケジューリングセルにしかならない。
【００７０】
図４Ｂに示した例について、下りデータ伝送を例として説明する。スケジューリングセル（たとえばＰセル）において、スケジューリングセルのデータ伝送のための制御信号が、下り無線制御チャネル（ＰＤＣＣＨ）を用いて伝送される。また、スケジューリングセルにおいて、上述した下り無線制御チャネルで伝送される制御情報に基づいて、下り無線共有チャネル（ＰＤＳＣＨ）を用いてデータが伝送される。
【００７１】
ノンスケジューリングセルでのデータ伝送のための制御信号は、スケジューリングセルの下り無線制御チャネル（ＰＤＣＣＨ）を用いて伝送される。ノンスケジューリングセルにおいて、上述した下り無線制御チャネルで伝送されるノンスケジューリングセルのデータ伝送のための制御情報に基づいて、下り無線共有チャネル（ＰＤＳＣＨ）を用いてデータが伝送される。
【００７２】
図４Ｃは、ＰセルおよびＳセルの例３を示す図である。図４Ｃにおいて、図４Ａに示した部分と同様の部分については同一の符号を付して説明を省略する。図４Ｃに示すコンポーネントキャリアＣＣ５は、コンポーネントキャリアＣＣ４に対して高周波数側に隣接するコンポーネントキャリアである。図４Ｃは、キャリアアグリゲーションにおいて、コンポーネントキャリアＣＣ２がＰセルとして選択され、コンポーネントキャリアＣＣ３〜ＣＣ５がＳセルとして選択されている場合を示している。
【００７３】
また、図４Ｃに示す例では、コンポーネントキャリアＣＣ３のＰＤＳＣＨのためのＰＤＣＣＨがコンポーネントキャリアＣＣ２に含まれている。また、図４Ｃに示す例では、コンポーネントキャリアＣＣ５のＰＤＳＣＨのためのＰＤＣＣＨがコンポーネントキャリアＣＣ４に含まれている。
【００７４】
この場合は、コンポーネントキャリアＣＣ２，ＣＣ４がスケジューリングセルとなり、コンポーネントキャリアＣＣ３，ＣＣ５はノンスケジューリングセルとなる。すなわち、コンポーネントキャリアＣＣ２においては、コンポーネントキャリアＣＣ２に加えてコンポーネントキャリアＣＣ３のスケジューリングが行われる。そして、コンポーネントキャリアＣＣ２，ＣＣ３に関する各制御信号がコンポーネントキャリアＣＣ２のＰＤＣＣＨによって伝送される。また、このとき、コンポーネントキャリアＣＣ２，ＣＣ３のうちのいずれの制御信号であるかを示す情報も付加されて伝送される。
【００７５】
また、コンポーネントキャリアＣＣ３においてはスケジューリングが行われず、コンポーネントキャリアＣＣ３のＰＤＳＣＨは、コンポーネントキャリアＣＣ２のＰＤＣＣＨによって伝送される制御信号に基づいて伝送される。
【００７６】
同様に、コンポーネントキャリアＣＣ４においては、コンポーネントキャリアＣＣ４に加えてコンポーネントキャリアＣＣ５のスケジューリングが行われる。そして、コンポーネントキャリアＣＣ４，ＣＣ５に関する各制御信号がコンポーネントキャリアＣＣ４のＰＤＣＣＨによって伝送される。また、このとき、コンポーネントキャリアＣＣ４，ＣＣ５のうちのいずれの制御信号であるかを示す情報も付加されて伝送される。
【００７７】
また、コンポーネントキャリアＣＣ５においてはスケジューリングが行われず、コンポーネントキャリアＣＣ５のＰＤＳＣＨは、コンポーネントキャリアＣＣ４のＰＤＣＣＨによって伝送される制御信号に基づいて伝送される。
【００７８】
図４Ｃに示したように、Ｐセルに対してＳセルが２つ以上あってもよい。また、図４Ｃに示したように、全てのＳセルに対してクロスキャリアスケジューリングを適用しなくてもよい。すなわち、セルが複数ある場合、あるＳセルに対してクロスキャリアスケジューリングを適用し、他のＳセルには適用しないようにすることも可能である。また、図４Ｃに示したように、Ｐセルと同様にＳセルにおいても、他のコンポーネントキャリアのための下り制御チャネル（ＰＤＣＣＨ）を伝送するようにしてもよい。
【００７９】
図４Ｂ，図４Ｃに示したように、クロスキャリアスケジューリングを行う場合のスケジューリングセルにおいては少なくとも３つの無線チャネル（２つのＰＤＣＣＨおよび１つのＰＤＳＣＨ）が下り伝送される。また、これらの他にも、たとえばＰＢＣＨ（Ｐｈｙｓｉｃａｌ  Ｂｒｏａｄｃａｓｔ  ＣＨａｎｎｅｌ：無線報知チャネル）、ＰＳＣＨ（Ｐｈｙｓｉｃａｌ  Ｓｙｎｃｈｒｏｎｉｚａｔｉｏｎ  ＣＨａｎｎｅｌ：無線同期チャネル）、ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ：無線制御フォーマットインジケータチャネル）、ＰＨＩＣＨ（Ｐｈｙｓｉｃａｌ  Ｈｙｂｒｉｄ−ＡＲＱ  Ｉｎｄｉｃａｔｏｒ  ＣＨａｎｎｅｌ：無線Ｈ−ＡＲＱインジケータチャネル）などが伝送されてもよい。
【００８０】
一方、ノンスケジューリングセルにおいては、少なくとも１つの無線チャネル（ＰＤＳＣＨ）が下り伝送される。
【００８１】
ここで、ある第１の端末に対して、第１のコンポーネントキャリアをＰセル、第２のコンポーネントキャリアをＳセルとして設定する場合について説明した。このとき、第２のコンポーネントキャリアのみ使用する別の第２の端末がある場合について説明する。
【００８２】
このとき、第２の端末においては、第２のコンポーネントキャリアがＰセルとなる。このため、第２のコンポーネントキャリアにおいては、第２のコンポーネントキャリアのみ使用する第２の端末のために、上述したＰＢＣＨ、ＰＳＣＨ、ＰＣＦＩＣＨ、ＰＨＩＣＨなどが伝送されることになる。
【００８３】
一方で、第１のコンポーネントキャリアをＰセルとし、第２のコンポーネントキャリアをＳセルとしたある第１の端末において、第２のコンポーネントキャリアで伝送されるＰＢＣＨ、ＰＳＣＨ、ＰＣＦＩＣＨなどを受信することは必須ではない。このため、第１の端末においては、これらの無線チャネルの受信は不要である場合もある。このように、第２のコンポーネントキャリアでは、第２のコンポーネントキャリアをＰセルとする第２の端末のために、第１の端末にとっては不要なＰＢＣＨ、ＰＳＣＨ、ＰＣＦＩＣＨなども下り伝送される場合もある。
【００８４】
以下、自セルまたは他セルのためのＰＤＣＣＨを伝送するコンポーネントキャリアをスケジューリングセルとし、ＰＤＣＣＨを伝送せず下り無線共有チャネル（ＰＤＳＣＨ）のみ伝送するコンポーネントキャリアをノンスケジューリングセルとして説明する。
【００８５】
なお、３ＧＰＰでは、回線設定時に最初に接続したセルであるＰセルをアンカーコンポーネント（Ａｎｃｈｏｒ  Ｃｏｍｐｏｎｅｎｔ）と呼ぶ場合もある。回線設定時とは、たとえば端末が選択したセルにおいて実施されるランダムアクセスによる回線設定である。
【００８６】
また、上述のように、端末は、無線回線設定時には１つのセルしか接続できない。このため、無線回線設定時の接続セルがＰセルとなる。ただし、無線回線設定の後に、ハンドオーバなどによりＰセルを変更することも可能である。また、Ｓセルの追加、削除、変更も可能である。
【００８７】
＜Ｓセルの設定＞
端末と基地局との間で無線回線を設定する際に、Ｌ３の制御信号であるＳｅｒｖＣｅｌｌＩｎｄｅｘ  ＩＥによって、サービングセル（スケジューリングセル）が最大で８つ設定される。このとき、ＳｅｒｖＣｅｌｌＩｎｄｅｘ＝０はＰセルであることを示し、ＳｅｒｖＣｅｌｌＩｎｄｅｘ＝１〜７はＳセルであることを示す（たとえば３ＧＰＰのＴＳ３６．３３１参照）。
【００８８】
なお、Ｓセルは、無線回線設定時以外でも追加可能である。また無線回線設定は、ハンドオーバなどによって再設定または変更される場合がある。
【００８９】
また、ＳｅｒｖＣｅｌｌＩｎｄｅｘ  ＩＥは、ＣｒｏｓｓＣａｒｒｉｅｒＳｃｈｅｄｕｌｉｎｇＣｏｎｆｉｇ  ＩＥに含まれる。ＣｒｏｓｓＣａｒｒｉｅｒＳｃｈｅｄｕｌｉｎｇＣｏｎｆｉｇ  ＩＥは、ＰｈｙｓｉｃａｌＣｏｎｆｉｇＤｅｄｉｃａｔｅｄ  ＩＥに含まれる。ＰｈｙｓｉｃａｌＣｏｎｆｉｇＤｅｄｉｃａｔｅｄ  ＩＥは、ＲａｄｉｏＲｅｓｏｕｒｃｅＣｏｎｆｉｇＤｅｄｉｃａｔｅｄ  ＩＥに含まれる。ＲａｄｉｏＲｅｓｏｕｒｃｅＣｏｎｆｉｇＤｅｄｉｃａｔｅｄ  ＩＥは、ＲＲＣＣｏｎｎｅｃｔｉｏｎＲｅｃｏｎｆｉｇｕｒａｔｉｏｎ  ｍｅｓｓａｇｅに含まれ、基地局から端末に通知される。
【００９０】
また、Ｓセルは、ＳＣｅｌｌＩｎｄｅｘ  ＩＥによって通知される。このＳＣｅｌｌＩｎｄｅｘ  ＩＥは、ＲＲＣＣｏｎｎｅｃｔｉｏｎＲｅｃｏｎｆｉｇｕｒａｔｉｏｎ  ｍｅｓｓａｇｅに含まれ、基地局から端末に通知される。
【００９１】
＜基地局間でキャリアアグリゲーションを実施する場合＞
また、上述のように、異なる基地局間でキャリアアグリゲーションを実施することが検討されている。この場合に、上述のように設定された最大で７つのＳセル（ＳｅｒｖＣｅｌｌＩｎｄｅｘ＝１〜７）からキャリアアグリゲーションで使用するコンポーネントキャリアが選択される。
【００９２】
３ＧＰＰ仕様では、「セルは、一つの周波数を用いて構成されるサービスエリア」と定義されており、この定義では１つの基地局に１つのセルが対応する。ただし、キャリアアグリゲーションでは、１つの基地局に複数のセルが対応する場合もある。
【００９３】
従来のキャリアアグリゲーションでは、同じ基地局に複数のコンポーネントキャリアが設定されており、同じ基地局のコンポーネントキャリアでキャリアアグリゲーションを実施するものであった。現在では、基地局間（ｅＮＢ間）でキャリアアグリゲーションを実施することが検討されている。これは、基地局間でＤＣ−ＨＳＤＰＡ（Ｄｕａｌ  Ｃｅｌｌ−ＨＳＤＰＡ）を実施することと同様である。
【００９４】
なお、異なる基地局間でＤＣ−ＨＳＤＰＡを実施することは、ＤＢ−ＨＳＤＰＡ（Ｄｕａｌ  Ｂａｎｄ−ＨＳＤＰＡ）または、ＤＢ−ＤＣ−ＨＳＤＰＡ（Ｄｕａｌ  Ｂａｎｄ−Ｄｕａｌ  Ｃｅｌｌ−ＨＳＤＰＡ）と呼ばれ、仕様化されている。
【００９５】
（階層化セル構成）
大きなセル（たとえばマクロセル）の中に複数の小さいセル（たとえばピコセル、ナノセル、ファントムセル）を配置する構成がＷ−ＣＤＭＡリリース９９から検討されている。この構成はアンブレラセル構成や階層化セル構成（Ｈｉｅｒａｒｃｈｉｃａｌ  Ｃｅｌｌ  Ｓｔｒｕｃｔｕｒｅ）と呼ばれている。以下、この構成を階層化セル構成と称する。
【００９６】
なお、小さいセルは、そのエリアの全てが大きなセルに含まれる場合や一部のみ含まれる場合が考えられる。後者の場合、残りの部分が他の大きなセルに含まれていてもよい。
【００９７】
階層化セル構成は、大きなセル（大セル、上位セル、マクロセル）と小さなセル（小セル、下位セル、ピコセル）とが積層される、すなわち複数の層のように構成されるものである。ここでは、相対的に大きなセルを大セルと称し、相対的に小さなセルを小セルと称する。
【００９８】
図５Ａは、階層化セル構成の一例を示す図である。図５Ａに示す通信システム５００は、たとえば図２に示した通信システム２００の一例である。通信システム５００は、端末５０１と、基地局５１１と、基地局５３１〜５３８と、を含む階層化セル構成である。
【００９９】
図１Ａ〜図１Ｄに示したシステム１００は、一例としては図５Ａに示す通信システム５００において実現することができる。この場合に、図１Ａ〜図１Ｄに示した基地局１１０は、たとえば基地局５１１により実現することができる。また、図１Ａ〜図１Ｄに示した基地局１２０は、たとえば基地局５３１〜５３８により実現することができる。また、図１Ａ〜図１Ｄに示した端末１３０は、たとえば端末５０１により実現することができる。
【０１００】
基地局５１１は、基地局５３１〜５３８に比べて送信電力が大きいマクロ基地局である。大セル５２１は基地局５１１のセルである。基地局５３１〜５３８は、ピコセル、ナノセル、ファントムセルなどを形成する、基地局５１１に比べて送信電力が小さい（小型の）基地局である。なお、セル半径の長い方から順にピコセル、ナノセル、ファントムセルと呼んでいる。小セル５４１〜５４８は、それぞれ基地局５３１〜５３８のセルである。
【０１０１】
通信システム５００は、基地局５３１〜５３８（小セル５４１〜５４８）が大セル５２１に設けられる階層化セル構成となっている。つぎに、階層化セル構成である通信システム５００に対してキャリアアグリゲーションを実施する場合について説明する。
【０１０２】
図５Ｂは、階層化セル構成におけるキャリアアグリゲーションの一例を示す図である。たとえば、図５Ｂに示すように、通信システム５００においては、大セル５２１をＰセル、小セル５４１〜５４８をＳセルとしてキャリアアグリゲーションが行われる。ただし、たとえば大セル５２１をＳセル、小セル５４１〜５４８をＰセルとしてキャリアアグリゲーションが行われてもよい。
【０１０３】
また、ＰセルとしてもＳセルとしても接続可能なセルが存在してもよい。以下の説明では、大セル５２１をＰセル、小セル５４１〜５４８をＳセルとしてキャリアアグリゲーションが行われる場合について説明する。
【０１０４】
たとえば、通信システム５００において、Ｐセルでは主に制御信号を伝送し、Ｓセルではユーザデータを主に伝送する。これにより、周波数利用効率を改善することが可能となる。これは、セルが細分化されることによる効果である。また、Ｓセルは端末基地局間距離が短いため伝搬ロスが少ない。このため、上りデータ伝送では、ユーザデータの伝送に要する送信電力を低減でき、端末５０１の低消費電力化を図ることができる。
【０１０５】
（Ｓセルとなる基地局の例）
図６Ａは、Ｓセルとなる基地局の例１を示す図である。図６Ａにおいて、図５Ａに示した部分と同様の部分については同一の符号を付して説明を省略する。ここでは、端末５０１が、基地局５１１をＰセルとし、基地局５３１をＳセルとするキャリアアグリゲーションを行う場合について説明する。
【０１０６】
たとえば、図６Ａに示すように、Ｓセルとなる基地局５３１は、たとえば基地局５１１（マクロ基地局）と有線接続されたｅＮＢ（ｅｖｏｌｖｅｄ  Ｎｏｄｅ  Ｂ）とすることができる。この場合は、基地局５１１と基地局５３１とは、たとえばイーサネット（登録商標）を用いたインターネットまたはイントラネットなどによって接続される。
【０１０７】
なお、基地局５１１や基地局５３１は、基地局５１１や基地局５３１の上位装置であって端末５０１の移動を管理するＭＭＥ（たとえば図２に示したＭＭＥ／Ｓ−ＧＷ２１１，２１２）と接続されていてもよい。この際、小セル５４１を構成する基地局５３１は、ＭＭＥに直接接続されてもよいし、大セル５２１を構成する基地局５１１を介してＭＭＥに接続されてもよい。また、基地局５３１は、たとえば公衆回線で接続されたフェムト基地局であってもよいし、移動通信事業者の所有する専用回線で接続されたスモール基地局（またはピコ基地局）などであってもよい。
【０１０８】
図６Ｂは、Ｓセルとなる基地局の例２を示す図である。図６Ｂにおいて、図６Ａに示した部分と同様の部分については同一の符号を付して説明を省略する。図６Ｂに示すように、基地局５３１は、基地局５１１に設けられたＢＢＵ（Ｂａｓｅ  Ｂａｎｄ  Ｕｎｉｔ）と接続されたＲＲＨ（Ｒｅｍｏｔｅ  Ｒａｄｉｏ  Ｈｅａｄ）であってもよい。ＲＲＨは、送信信号および受信信号の増幅などを行う。ＢＢＵは、変調や復調などの処理を行う。ＢＢＵとＲＲＨとの間の接続にはたとえば光回線などの専用回線を用いることができる。なお、ＲＲＨは張出基地局と呼ばれることもある。
【０１０９】
図６Ｃは、Ｓセルとなる基地局の例３を示す図である。図６Ｃにおいて、図６Ａに示した部分と同様の部分については同一の符号を付して説明を省略する。図６Ｃに示すように、基地局５３１は、基地局５１１の通信を無線中継するＲＮ（中継局：Ｒｅｌａｙ  Ｎｏｄｅ）であってもよい。この場合は、基地局５１１と基地局５３１とは無線接続される。
【０１１０】
以下の説明においては、図６Ａに示した構成について説明する。ただし、本願発明は図６Ｂ，図６Ｃに示した構成においても同様に実現することができる。
【０１１１】
（階層化セル構成におけるセル初回選択）
階層化セル構成におけるセル初回選択について説明する。ここではＬＴＥ仕様であるＴＳ３６．３０４の例について説明する。
【０１１２】
端末５０１は、たとえばＰセルのセル初回選択において、下記（１）式〜下記（３）式を満たすセルを選択する。
【０１１３】
Ｓｒｘｌｅｖ＞０  ＡＮＤ  Ｓｑｕａｌ＞０      …（１）
【０１１４】
Ｓｒｘｌｅｖ＝Ｑrxlevmeas−（Ｑrxlevmin＋Ｑrxlevminoffset）−Ｐｃｏｍｐｅｎｓａｔｉｏｎ  …（２）
【０１１５】
Ｓｑｕａｌ＝Ｑqualmeas−（Ｑqualmin＋Ｑqualminoffset）  …（３）
【０１１６】
上記（１）式において、Ｓｒｘｌｅｖは、端末５０１における対象セルの補正後の受信電力である。Ｓｑｕａｌは、端末５０１における対象セルの補正後の受信品質である。
【０１１７】
上記（２）式において、Ｑrxlevmeasは、端末５０１における対象セルの受信電力の測定結果である。受信電力の測定結果は、たとえばＲＳＲＰ（Ｒｅｆｅｒｅｎｃｅ  Ｓｉｇｎａｌ  Ｒｅｃｅｉｖｅｄ  Ｐｏｗｅｒ：基準信号受信電力）である。Ｑrxlevminは、所要受信電力である。所要受信電力は、たとえば所要誤り率（たとえばビット誤り率ＢＥＲ＝０．０１やブロック誤り率ＢＬＥＲ＝０．１）や所要伝送速度を満たすための最小の受信電力［ｄＢｍ］である。なお、参照信号（ＲＳ：Ｒｅｆｅｒｅｎｃｅ  Ｓｉｇｎａｌ）は、一般的な無線通信システムにおけるパイロットに相当するものである。
【０１１８】
Ｑrxlevminoffsetは、受信電力のオフセットである。Ｐｃｏｍｐｅｎｓａｔｉｏｎは、基地局の送信電力に依存した補正値である。たとえば、基地局の送信電力が下がれば受信電力が下がるため、Ｐｃｏｍｐｅｎｓａｔｉｏｎによる補正が行われる。ＱrxlevminやＱrxlevminoffsetなどは、システム情報（ＳＩＢ１：Ｓｙｓｔｅｍ  Ｉｎｆｏｒｍａｔｉｏｎ  Ｂｌｏｃｋ  ｔｙｐｅ  １）として端末５０１へ報知される。
【０１１９】
このように、補正後の受信電力であるＳｒｘｌｅｖは、測定した受信電力に対して、所要受信電力と報知された受信電力のオフセットを加算した結果を減算した結果に基づく受信品質評価結果である。すなわち、Ｓｒｘｌｅｖは、受信電力のオフセットを考慮して所要受信電力に対する余裕を評価するものである。
【０１２０】
上記（３）式において、Ｑqualmeasは、端末５０１における対象セルの受信品質の測定結果である。受信品質の測定結果は、たとえばＲＳＲＱ（Ｒｅｆｅｒｅｎｃｅ  Ｓｉｇｎａｌ  Ｒｅｃｅｉｖｅｄ  Ｑｕａｌｉｔｙ：基準信号受信品質）である。Ｑqualminは、所要受信品質である。所要受信品質は、たとえば所要誤り率や所要伝送速度を満たすための最小の受信品質である。受信品質は、たとえばＳＮＲ（Ｓｉｇｎａｌ  Ｎｏｉｓｅ  Ｒａｔｉｏ）やＳＩＲ（Ｓｉｇｎａｌ−ｔｏ−Ｉｎｔｅｒｆｅｒｅｎｃｅ  Ｒａｔｉｏ）である。
【０１２１】
Ｑqualminoffsetは、所要受信品質のオフセットである。Ｐｃｏｍｐｅｎｓａｔｉｏｎは、基地局の送信電力に依存した補正値である。たとえば、基地局の送信電力が下がれば受信品質が下がるため、Ｐｃｏｍｐｅｎｓａｔｉｏｎによる補正が行われる。ＱqualminやＱqualminoffsetなどは、システム情報（ＳＩＢ１）として端末５０１へ報知される。
【０１２２】
このように、補正後の受信品質であるＳｑｕａｌは、測定した受信品質に対して、所要受信品質と報知された受信品質のオフセットを加算した結果を減算した結果に基づく受信品質評価結果である。すなわち、Ｓｑｕａｌは、受信品質のオフセットを考慮して所要受信品質に対する余裕を評価するものである。
【０１２３】
なお、Ｗ−ＣＤＭＡシステムのＦＤＤ（Ｆｒｅｑｕｅｎｃｙ  Ｄｉｖｉｓｉｏｎ  Ｄｕｐｌｅｘ：周波数分割複信）においては、ＳｒｘｌｅｖおよびＳｑｕａｌが用いられるが、Ｗ−ＣＤＭＡシステムのＴＤＤ（Ｔｉｍｅ  Ｄｉｖｉｓｉｏｎ  Ｄｕｐｌｅｘ：時分割複信）においてはＳｒｘｌｅｖのみが用いられる。また、ＬＴＥ  Ｒｅｌｅａｓｅ８についてもＳｒｘｌｅｖのみが用いられる。
【０１２４】
（階層化セル構成におけるセル再選択）
階層化セル構成におけるセル再選択について説明する。セル再選択（Ｃｅｌｌ  ｒｅｓｅｌｅｃｔｉｏｎ）は、セル選択を実施した後に、通信がない状態などが一定時間経過した場合や回線接続後に回線が切れてしまったなどの理由で再びセル選択を行うものである（たとえば３ＧＰＰのＴＳ２５．３０４参照）。
【０１２５】
端末５０１は、たとえばＰセルのセル再選択において、下記（４）式に示すＨsおよびＨnを算出する。そして、端末５０１は、ＨsおよびＨnに基づいて各セルをランキング付けし、ランキングが最も高いセルを選択する。
【０１２６】
Ｈs＝Ｑmeas,s−Ｑｈｃｓs
Ｈn＝Ｑmeas,n−Ｑｈｃｓn−ＴＯn＊Ｌn  …（４）
【０１２７】
上記（４）式のＨsは、接続中のセル（Ｓｅｒｖｉｎｇ  Ｃｅｌｌ）に対する受信品質評価結果である。Ｈsは、接続中のセルからの下り無線回線品質（Ｑmeas,s）から接続中のセルからの無線回線品質の閾値（Ｑｈｃｓs）を減算した値である。Ｑmeas,sは、たとえば共通パイロットチャネルの受信品質（ＣＰＩＣＨ  Ｅｃ／Ｎｏ）などである。なお、「ｓ」はサービング（ｓｅｒｖｉｎｇ）、すなわち接続先または待ち受け先のセルであることを示すサフィックスである。
【０１２８】
上記（４）式のＨnは、隣接セル（Ｎｅｉｇｈｂｏｒｉｎｇ  Ｃｅｌｌ）すなわち周辺セルに対する受信品質評価結果である。Ｈnは、隣接セルからの下り無線回線品質（Ｑmeas,n）から、隣接セルからの無線回線品質の閾値（Ｑｈｃｓn）と、ＴＯnとＬnとを乗じた値と、を減算した値である。Ｑmeas,nは、たとえば共通パイロットチャネルの受信品質（ＣＰＩＣＨ  Ｅｃ／Ｎｏ）などである。なお、「ｎ」はネイバリング（ｎｅｉｇｈｂｏｕｒｉｎｇ）、すなわち隣接セルを示すサフィックスである。
【０１２９】
ＴＯnは、測定タイミングが異なることに対する調整値（オフセット）である。Ｌnは、接続中のセルの優先度と隣接基地局の優先度が一致する場合は０、一致しない場合は１となる値である。上記（４）式のＴＯnおよびＬnは、たとえば下記（５）式によって算出することができる。
【０１３０】
ＴＯn＝ＴＥＭＰ＿ＯＦＦＳＥＴn＊Ｗ（ＰＥＮＡＬＴＹ＿ＴＩＭＥn−Ｔn）
Ｌn＝０（ＨＣＳ＿ＰＲＩＯn＝ＨＣＳ＿ＰＲＩＯs）
Ｌn＝１（ＨＣＳ＿ＰＲＩＯn≠ＨＣＳ＿ＰＲＩＯs）
Ｗ（ｘ）＝０（ｘ＜０）
Ｗ（ｘ）＝１（ｘ≧０）                                            …（５）
【０１３１】
上記（５）式において、ＰＥＮＡＬＴＹ＿ＴＩＭＥnは、隣接セル（周辺セル）測定のタイミングが異なることに対するオフセットである。ＴＥＭＰ＿ＯＦＦＳＥＴnは、ＰＥＮＡＬＴＹ＿ＴＩＭＥnの継続時間に対するオフセットである。ＨＣＳ＿ＰＲＩＯsは、接続中のセルにおける優先度である。ＨＣＳ＿ＰＲＩＯnは、隣接セルにおける優先度である。Ｗ（ｘ）は、重み付け関数である。Ｔnは、受信品質の測定タイミングである。
【０１３２】
Ｑｈｃｓs，Ｑｈｃｓn、ＨＣＳ＿ＰＲＩＯs、ＨＣＳ＿ＰＲＩＯn、ＰＥＮＡＬＴＹ＿ＴＩＭＥnなどは、システム情報として端末５０１へ報知される（たとえば３ＧＰＰのＴＳ３６．３０４やＴＳ３６．３３１参照）。
【０１３３】
たとえば、測定タイミングＴnがＰＥＮＡＬＴＹ＿ＴＩＭＥnよりも長い場合は、Ｗ（ｘ）＝０となる。このため、隣接セルからの下り無線回線品質（Ｑmeas,n）が閾値（Ｑｈｃｓn）より高い場合は、隣接セルの受信品質評価結果（Ｈn）は０より大きな値となる。同様に、接続中のセルからの下り無線回線品質（Ｑmeas,s）が閾値（Ｑｈｃｓs）より高い場合は、接続中のセルの受信品質評価結果（Ｈs）は０より大きな値となる。
【０１３４】
（無線回線品質の測定）
端末５０１による無線回線品質（Ｗｉｒｅｌｅｓｓ  Ｃｈａｎｎｅｌ  Ｑｕａｌｉｔｙ）の測定について説明する。端末５０１は、シンボル同期が可能となることで、基地局からのパイロット信号のみを取り出すことが可能となる。そして、端末５０１は、取り出したパイロット信号の受信電力（ＲＳＲＱ）の測定を行う。また、端末５０１は、算出したパイロット信号列と受信したパイロット信号列を比較することで、受信信号品質（ＲＳＲＱ）の測定を行う。
【０１３５】
（システム情報の受信）
端末５０１によるシステム情報の受信について説明する。端末５０１は、周辺基地局からの送信信号に対して同期することで、周辺基地局から報知されているシステム情報の受信が可能となる。システム情報は、たとえばＬＴＥシステムでは、ＭＩＢ（Ｍａｓｔｅｒ  Ｉｎｆｏｒｍａｔｉｏｎ  Ｂｌｏｃｋ）およびＳＩＢ（Ｓｙｓｔｅｍ  Ｉｎｆｏｒｍａｔｉｏｎ  Ｂｌｏｃｋ）である。
【０１３６】
ＭＩＢは、下り周波数帯域幅や無線フレーム番号などの情報を含む。ＳＩＢは、現時点ではＳＩＢ１からＳＩＢ１６（Ｓｙｓｔｅｍ  Ｉｎｆｏｒｍａｔｉｏｎ  Ｂｌｏｃｋ  ｔｙｐｅ  １６）まで規定されている。ただし、ＳＩＢはさらに増えることも考えられる。
【０１３７】
これらのシステム情報は、論理チャネルのＢＣＣＨ（Ｂｒｏａｄｃａｓｔ  Ｃｏｎｔｒｏｌ  ＣＨａｎｎｅｌ：報知チャネル）で伝送される。このＢＣＣＨは、トランスポートチャネルであるＢＣＨ（Ｂｒｏａｄｃａｓｔ  ＣＨａｎｎｅｌ：報知チャネル）またはＤＬ−ＳＣＨ（Ｄｏｗｎ  Ｌｉｎｋ−Ｓｈａｒｅｄ  ＣＨａｎｎｅｌ：下り共有チャネル）にマッピングされる。
【０１３８】
さらに、無線チャネルであるＰＢＣＨまたはＰＤＳＣＨを用いて端末５０１に送信される。なお、無線報知チャネルはもちろん、無線下り共有チャネルであっても、その基地局に対して接続、待ち受けしているまたは受信可能な端末５０１に対して共通制御情報として報知される。なお、報知とはいわゆる放送であり、端末５０１は報知信号に対する応答を基地局に送信しない。
【０１３９】
（階層化セル構成におけるＰセルの誤選択について）
たとえば、各セルの無線回線品質閾値、無線回線品質、優先度、測定タイミング、ペナルティタイムの値によっては、接続中の基地局（たとえばＰセルとして使用するセル）でなく、Ｓセルとしてのみ使用可能な隣接するセルがＰセルとして選択される場合がある。
【０１４０】
（競合ベースのランダムアクセス）
図７Ａは、競合ベースのランダムアクセスの一例を示す図である。図７Ａにおいては、端末５０１（ＵＥ）が、大セルである基地局５１１をＰセルとして選択し、選択した基地局５１１に対して競合ベースのランダムアクセス（Ｃｏｎｔｅｎｔｉｏｎ  Ｂａｓｅｄ  Ｒａｎｄｏｍ  Ａｃｃｅｓｓ  Ｐｒｏｃｅｄｕｒｅ）を行う場合について説明する。まず、端末５０１が、メッセージ１としてランダムアクセスプリアンブル（Ｒａｎｄｏｍ  Ａｃｃｅｓｓ  Ｐｒｅａｍｂｌｅ）を基地局５１１へ送信する（ステップＳ７１１）。
【０１４１】
つぎに、基地局５１１が、ステップＳ７１１によって受信したランダムアクセスプリアンブルに基づいて端末５０１を識別し、端末５０１の識別子であるＣ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）を設定する。ここで設定されるＣ−ＲＮＴＩは、たとえば仮の識別子であるテンポラリＣ−ＲＮＴＩ（Ｔｅｍｐｏｒａｒｙ  Ｃ−ＲＮＴＩ）である。
【０１４２】
また、基地局５１１は、端末５０１に対して、上り送信許可（ＵＬ  ｇｒａｎｔ）、送信タイミング（Ｔｉｍｉｎｇ  Ａｌｉｇｎｍｅｎｔ  Ｉｎｆｏｒｍａｔｉｏｎ）、ＣＱＩ（Ｃｈａｎｎｅｌ  Ｑｕａｌｉｔｙ  Ｉｎｄｉｃａｔｏｒ）リクエストなどを設定する。そして、基地局５１１は、メッセージ２として、これらの設定結果と、ステップＳ７１１によって受信したランダムアクセスプリアンブルと、を含むランダムアクセスレスポンス（Ｒａｎｄｏｍ  Ａｃｃｅｓｓ  Ｒｅｓｐｏｎｓｅ）を端末５０１へ送信する（ステップＳ７１２）。
【０１４３】
つぎに、端末５０１が、ステップＳ７１１によって送信したランダムアクセスプリアンブルと、ステップＳ７１２によって受信したランダムアクセスプリアンブルと、が一致するか否かを確認する。ランダムアクセスプリアンブルが不一致の場合、端末５０１は、ステップＳ７１２によって受信したランダムアクセスレスポンスが他端末宛であると判断し、再びランダムアクセスプリアンブルを送信する。この際、端末５０１は、前回送信したランダムアクセスプリアンブルを送信してもよいし、異なるランダムアクセスプリアンブルを選択して送信してもよい。
【０１４４】
ランダムアクセスプリアンブルが一致した場合、端末５０１は、ステップＳ７１２によって受信したランダムアクセスレスポンスが自端末宛であると認識する。そして、端末５０１は、メッセージ３として、ＲＲＣコネクションリクエスト（ＲＲＣ  Ｃｏｎｎｅｃｔｉｏｎ  Ｒｅｑｕｅｓｔ）などを含むスケジュールドトランスミッション（Ｓｃｈｅｄｕｌｅｄ  Ｔｒａｎｓｍｉｓｓｉｏｎ）を基地局５１１へ送信する（ステップＳ７１３）。ステップＳ７１３による送信は、ステップＳ７１２によって受信したランダムアクセスレスポンスに含まれる上り送信許可（ＵＬ  ｇｒａｎｔ）や、ランダムアクセスレスポンスが指定する無線リソースおよび変調方式を用いて行われる。
【０１４５】
基地局５１１は、メッセージ４として、ステップＳ７１３によって受信したスケジュールドトランスミッションに対する応答信号（ＡＣＫ／ＮＡＣＫ）であるコンテンションレゾリューション（Ｃｏｎｔｅｎｔｉｏｎ  Ｒｅｓｏｌｕｔｉｏｎ）を送信する（ステップＳ７１４）。これにより、端末５０１と基地局５１１との間の無線回線設定が完了する。
【０１４６】
（非競合ベースのランダムアクセス）
図７Ｂは、非競合ベースのランダムアクセスの一例を示す図である。図７Ｂにおいては、端末５０１（ＵＥ）が小セルである基地局５３１をＳセルとして選択し、選択した基地局５３１に対して非競合ベースのランダムアクセス（Ｎｏｎ−Ｃｏｎｔｅｎｔｉｏｎ  Ｂａｓｅｄ  Ｒａｎｄｏｍ  Ａｃｃｅｓｓ  Ｐｒｏｃｅｄｕｒｅ）を行う場合について説明する。
【０１４７】
まず、基地局５３１は、端末５０１に対して、メッセージ０として、個別プリアンブルを含むランダムアクセスプリアンブルアサインメント（Ｒａｎｄｏｍ  Ａｃｃｅｓｓ  Ｐｒｅａｍｂｌｅ  Ａｓｓｉｇｎｍｅｎｔ）を送信する（ステップＳ７２１）。ランダムアクセスプリアンブルアサインメントには、Ｓセルとして選択された基地局５３１と端末５０１がランダムアクセスを実施するためのシステム情報などの制御情報が含まれていてもよい。
【０１４８】
つぎに、端末５０１が、メッセージ１として、ランダムアクセスプリアンブル（Ｒａｎｄｏｍ  Ａｃｃｅｓｓ  Ｐｒｅａｍｂｌｅ）を基地局５３１へ送信する（ステップＳ７２２）。ステップＳ７２２によって送信されるランダムアクセスプリアンブルは、ステップＳ７２１によって受信したランダムアクセスプリアンブルアサインメントに含まれる個別プリアンブルである。
【０１４９】
つぎに、基地局５３１が、ステップＳ７２２によって受信した個別プリアンブルに対して、メッセージ２としてランダムアクセスレスポンス（Ｒａｎｄｏｍ  Ａｃｃｅｓｓ  Ｒｅｓｐｏｎｓｅ）を端末５０１へ送信する（ステップＳ７２３）。これにより、一連の非競合ベースのランダムアクセスが終了し、端末５０１と基地局５３１との間で回線が設定される。すなわち、端末５０１においてＳセルが追加され、キャリアアグリゲーションが設定される。
【０１５０】
なお、Ｓセルが下り回線しか設定されない場合もある。この場合のＳセルの追加は、Ｐセルから端末５０１に対してＳセルの追加要求（すなわちＳセルを受信することを要求）とＳセルを追加するための情報（たとえば追加するＳセルの情報（たとえばセルＩＤなど））とを通知し、通知を受けた端末５０１は通知されたＳセルを受信するように設定する。これにより、Ｓセルが追加され、キャリアアグリゲーションが設定される。
【０１５１】
（実施の形態２にかかる基地局）
図８Ａは、実施の形態２にかかる基地局の一例を示す図である。図８Ｂは、図８Ａに示した基地局における信号の流れの一例を示す図である。基地局５１１，５３１〜５３８のそれぞれは、たとえば図８Ａ，図８Ｂに示す基地局８００により実現することができる。基地局８００は、アンテナ８０１と、受信部８１０と、制御部８２０と、送信部８３０と、を備える。受信部８１０は、受信無線部８１１と、復調・復号部８１２と、無線回線品質情報抽出部８１３と、無線回線制御情報抽出部８１４と、を備える。
【０１５２】
制御部８２０は、無線回線制御部８２１と、システム情報管理・記憶部８２２と、を備える。送信部８３０は、システム情報作成部８３１と、同期信号作成部８３２と、パイロット作成部８３３と、無線回線制御情報作成部８３４と、符号化・変調部８３５と、送信無線部８３６と、を備える。
【０１５３】
図１Ａ〜図１Ｄに示した送信部１１１，１２１は、たとえばアンテナ８０１および送信部８３０によって実現することができる。図１Ａ〜図１Ｄに示した制御部１１２，１２２は、たとえば制御部８２０によって実現することができる。
【０１５４】
アンテナ８０１は、基地局８００のセルに位置する端末（たとえば端末５０１）から無線送信された信号を受信し、受信した信号を受信無線部８１１へ出力する。また、アンテナ８０１は、送信無線部８３６から出力された信号を、基地局８００のセルに位置する端末へ無線送信する。
【０１５５】
受信無線部８１１は、アンテナ８０１から出力された信号の受信処理を行う。受信無線部８１１における受信処理には、たとえば、増幅、高周波帯からベースバンド帯への周波数変換、アナログ信号からデジタル信号への変換などが含まれる。受信無線部８１１は、受信処理を行った信号を復調・復号部８１２へ出力する。
【０１５６】
復調・復号部８１２は、受信無線部８１１から出力された信号の復調および復号を行う。そして、復調・復号部８１２は、復調および復号により得られた受信データを出力する。復調・復号部８１２から出力された受信データは、受信部８１０の上位レイヤの処理部、無線回線品質情報抽出部８１３および無線回線制御情報抽出部８１４へ出力される。
【０１５７】
無線回線品質情報抽出部８１３は、復調・復号部８１２から出力された受信データに含まれる無線回線品質情報を抽出する。無線回線品質情報は、たとえばＣＱＩ、ＲＳＲＰ、ＲＳＲＱなどである。無線回線品質情報抽出部８１３は、抽出した無線回線品質情報を無線回線制御部８２１へ出力する。
【０１５８】
無線回線制御情報抽出部８１４は、復調・復号部８１２から出力された受信データに含まれる無線回線制御情報を抽出する。無線回線制御情報は、たとえばランダムアクセスのプリアンブル、ランダムアクセスの各メッセージ、各種の応答信号（ＡＣＫ／ＮＡＣＫ）などである。無線回線制御情報抽出部８１４は、抽出した無線回線制御情報を無線回線制御部８２１へ出力する。
【０１５９】
無線回線制御部８２１は、基地局８００における無線回線の制御を行う。無線回線の制御には、無線回線品質情報抽出部８１３から出力された無線回線品質情報、無線回線制御情報抽出部８１４から出力された無線回線制御情報、システム情報管理・記憶部８２２に記憶されたシステム情報（帯域幅、プリアンブル）などが用いられる。また、無線回線の制御には、たとえば、ランダムアクセスの制御や端末（たとえば基地局８００）のスケジューリングや、端末に対する測定要求などが含まれる。たとえば、無線回線制御部８２１は、無線回線の制御に応じた端末宛の無線回線制御情報を無線回線制御情報作成部８３４へ通知する。
【０１６０】
システム情報管理・記憶部８２２は、システム情報の管理および記憶を行う。たとえば、システム情報管理・記憶部８２２は、無線回線制御部８２１の無線回線の制御によって得られたシステム情報を無線回線制御部８２１から取得して記憶する。また、システム情報管理・記憶部８２２は、記憶したシステム情報のうちの無線回線制御部８２１の無線回線の制御に要するシステム情報を無線回線制御部８２１へ出力する。
【０１６１】
また、システム情報管理・記憶部８２２は、基地局８００の隣接セルのシステム情報を隣接セル情報として隣接セルから受信する。また、システム情報管理・記憶部８２２は、基地局８００のシステム情報を、隣接情報として基地局８００の隣接セルへ送信する。
【０１６２】
また、システム情報管理・記憶部８２２は、システム情報をシステム情報作成部８３１へ通知する。システム情報には、たとえば基地局８００に関する情報（たとえばセルＩＤや帯域幅など）が含まれる。また、システム情報には、ランダムアクセスを実施する際の情報（たとえば、使用可能なランダムアクセスプリアンブルなど）が含まれる。また、システム情報には、セル選択に関する情報（セルの優先度やオフセットなど）が含まれる。また、システム情報には、隣接基地局に関する情報が含まれる。
【０１６３】
また、システム情報には、後述のセルＩＤ使い分け情報が含まれる。たとえば、システム情報管理・記憶部８２２は、基地局８００が予め記憶しているセルＩＤ使い分け情報をシステム情報に含める。または、システム情報管理・記憶部８２２は、基地局８００の上位装置（たとえばＭＭＥ）から受信したセルＩＤ使い分け情報をシステム情報に含めてもよい。
【０１６４】
これらのシステム情報は、論理チャネル（Ｌｏｇｉｃａｌ  ｃｈａｎｎｅｌ）であるＢＣＣＨを用い、ＰＢＣＨまたはＰＤＳＣＨを用いて、基地局８００が基地局８００のセル内の各端末に対して共通な制御情報として報知（Ｂｒｏａｄｃａｓｔ）するものである。セル選択の際に使用するセルの優先度やオフセットがシステム情報に含まれる場合は、それらの情報を基にセル選択が実施される。
【０１６５】
また、システム情報管理・記憶部８２２は、基地局８００のセルＩＤを同期信号作成部８３２およびパイロット作成部８３３へ出力する。基地局８００のセルＩＤは、基地局８００のセルがＰセルおよびＳセルのいずれであるかに応じて割り当てられたセルＩＤである。
【０１６６】
送信部８３０には、送信部８３０の上位レイヤの処理部から、基地局８００が送信すべき送信データが入力される。送信部８３０へ入力された送信データは符号化・変調部８３５へ入力される。
【０１６７】
システム情報作成部８３１は、システム情報管理・記憶部８２２から通知されたシステム情報を作成し、作成したシステム情報を、報知チャネルにマッピングして符号化・変調部８３５へ出力する。
【０１６８】
同期信号作成部８３２は、システム情報管理・記憶部８２２から出力されたセルＩＤに基づく同期信号であるＰＳＳ（Ｐｒｉｍａｒｙ  Ｓｙｎｃｈｒｏｎｉｚａｔｉｏｎ  Ｓｉｇｎａｌ：プライマリ同期信号、第１の同期信号）およびＳＳＳ（Ｓｅｃｏｎｄａｒｙ  Ｓｙｎｃｈｒｏｎｉｚａｔｉｏｎ  Ｓｉｇｎａｌ：セカンダリ同期信号、第２の同期信号）を作成する。そして、同期信号作成部８３２は、作成した同期信号を報知チャネルにマッピングして符号化・変調部８３５へ出力する。
【０１６９】
パイロット作成部８３３は、システム情報管理・記憶部８２２から出力されたセルＩＤに基づくパイロット信号である共通パイロットを作成する。そして、パイロット作成部８３３は、作成した共通パイロットを無線制御チャネルや共有チャネルと同様に無線フレームにマッピングして符号化・変調部８３５へ出力する。なお、パイロット作成部８３３は、共通パイロットをパイロットチャネルにマッピングし、同様に無線フレームにマッピングしてもよい。
【０１７０】
また、パイロット作成部８３３が作成するパイロットには、たとえば、セル内で複数の端末に共通のセル共通パイロット（Ｃｅｌｌ  Ｓｐｅｃｉｆｉｃ  Ｐｉｌｏｔ）が含まれてもよい。また、パイロット作成部８３３が作成するパイロットには、端末個別に割り当てられた個別パイロット（Ｄｅｄｉｃａｔｅｄ  Ｐｉｌｏｔ，ＵＥ  Ｓｐｅｃｉｆｉｃ  ＲＳ）が含まれてもよい。また、パイロット作成部８３３が作成するパイロットには、位置測定用のパイロット（Ｐｏｓｉｔｉｏｎｉｎｇ  Ｐｉｌｏｔ，Ｐｏｓｉｔｉｏｎｉｎｇ  ＲＳ）が含まれてもよい。また、パイロット作成部８３３が作成するパイロットには、無線回線品質を測定するためのパイロット（Ｃｈａｎｎｅｌ  Ｓｔａｔｅ  Ｉｎｆｏｒｍａｔｉｏｎ  Ｐｉｌｏｔ  ＣＳＩ−ＲＳ）が含まれてもよい。すなわち、パイロット作成部８３３が作成するパイロットは、すなわち基地局８００および端末間や無線通信システムにおいて予め決められた既知信号であればよい。
【０１７１】
無線回線制御情報作成部８３４は、無線回線制御部８２１から通知された無線回線制御情報を作成し、作成した無線回線制御情報を報知チャネルまたは共有チャネルにマッピングして符号化・変調部８３５へ出力する。
【０１７２】
符号化・変調部８３５は、入力された送信データや、システム情報作成部８３１、同期信号作成部８３２、パイロット作成部８３３および無線回線制御情報作成部８３４から出力された各情報（信号）の符号化および変調を行う。そして、符号化・変調部８３５は、符号化および変調によって得られた信号を送信無線部８３６へ出力する。
【０１７３】
送信無線部８３６は、符号化・変調部８３５から出力された信号の送信処理を行う。送信無線部８３６における送信処理には、たとえば、デジタル信号からアナログ信号への変換や、ベースバンド帯から高周波帯への周波数変換や、増幅などが含まれる。送信無線部８３６は、送信処理により得られた信号をアンテナ８０１へ出力する。
【０１７４】
図８Ｃは、実施の形態２にかかる基地局のハードウェア構成の一例を示す図である。図８Ｃにおいて、図８Ａ，図８Ｂに示した部分と同様の部分については同一の符号を付して説明を省略する。図８Ａ，図８Ｂに示した基地局８００は、たとえば図８Ｃに示す通信装置８４０により実現することができる。通信装置８４０は、アンテナ８０１と、ＬＳＩ８４１と、ＤＳＰ８４２と、メモリ８４３と、通信インタフェース８４４（Ｉ／Ｆ）と、を備える。
【０１７５】
ＬＳＩ８４１（Ｌａｒｇｅ  Ｓｃａｌｅ  Ｉｎｔｅｇｒａｔｉｏｎ：大規模集積回路）は、アンテナ８０１およびＤＳＰ８４２と接続されている。図８Ａ，図８Ｂに示した受信無線部８１１および送信無線部８３６は、たとえばＬＳＩ８４１などの回路により実現することができる。
【０１７６】
ＤＳＰ８４２（Ｄｉｇｉｔａｌ  Ｓｉｇｎａｌ  Ｐｒｏｃｅｓｓｏｒ）は、ＬＳＩ８４１、メモリ８４３および通信インタフェース８４４と接続されている。ＤＳＰ８４２は、通信装置８４０の全体の制御を行う。メモリ８４３には、たとえばメインメモリおよび補助メモリが含まれる。メインメモリは、たとえばＲＡＭ（Ｒａｎｄｏｍ  Ａｃｃｅｓｓ  Ｍｅｍｏｒｙ）である。メインメモリは、ＤＳＰ８４２のワークエリアとして使用される。補助メモリは、たとえば磁気ディスク、フラッシュメモリなどの不揮発メモリである。補助メモリには、通信装置８４０を動作させる各種のプログラムが記憶されている。補助メモリに記憶されたプログラムは、メインメモリにロードされてＤＳＰ８４２によって実行される。
【０１７７】
通信インタフェース８４４は、外部の通信装置との間で通信を行う通信インタフェースである。通信インタフェース８４４には、たとえば有線の通信インタフェースを用いることができる。
【０１７８】
図８Ａ，図８Ｂに示した復調・復号部８１２、無線回線品質情報抽出部８１３、無線回線制御情報抽出部８１４、無線回線制御部８２１およびシステム情報管理・記憶部８２２は、たとえばＤＳＰ８４２などの回路およびメモリ８４３により実現することができる。また、図８Ａ，図８Ｂに示したシステム情報作成部８３１、同期信号作成部８３２、パイロット作成部８３３、無線回線制御情報作成部８３４および符号化・変調部８３５は、たとえばＤＳＰ８４２などの回路およびメモリ８４３により実現することができる。また、図８Ａ，図８Ｂに示したシステム情報管理・記憶部８２２の隣接セルとの通信のインタフェースは、たとえば通信インタフェース８４４により実現することができる。
【０１７９】
また、ＤＳＰ８４２に代えて、ＣＰＵ（Ｃｅｎｔｒａｌ  Ｐｒｏｃｅｓｓｉｎｇ  Ｕｎｉｔ：中央処理装置）や、ＤＳＰとＣＰＵの組み合わせなどを用いてもよい。
【０１８０】
（実施の形態２にかかる端末）
図９Ａは、実施の形態２にかかる端末の一例を示す図である。図９Ｂは、図９Ａに示した端末における信号の流れの一例を示す図である。図９Ａ，図９Ｂに示すように、端末９００は、アンテナ９０１と、受信部９１０と、制御部９２０と、送信部９３０と、を備える。
【０１８１】
受信部９１０は、受信無線部９１１と、復調・復号部９１２と、システム情報抽出部９１３と、無線回線制御情報抽出部９１４と、同期信号抽出部９１５と、セルＩＤ抽出部９１６と、を備える。また、受信部９１０は、パイロット算出部９１７と、無線回線品質測定・算出部９１８と、パイロット抽出部９１９と、を備える。
【０１８２】
制御部９２０は、同期制御部９２１と、端末設定制御部９２２と、システム情報記憶部９２３と、無線回線制御部９２４と、セル選択制御部９２５と、同期信号作成部９２６と、を備える。送信部９３０は、無線回線品質情報作成部９３１と、無線回線制御信号作成部９３２と、符号化・変調部９３３と、送信無線部９３４と、を備える。
【０１８３】
図１Ａ〜図１Ｄに示した受信部１３１は、たとえばアンテナ９０１および受信部９１０によって実現することができる。図１Ａ〜図１Ｄに示した制御部１３２は、たとえば制御部９２０によって実現することができる。
【０１８４】
アンテナ９０１は、基地局（たとえば基地局５１１，５３１または基地局８００）から無線送信された信号を受信し、受信した信号を受信無線部９１１へ出力する。また、アンテナ９０１は、送信無線部９３４から出力された信号を基地局へ無線送信する。
【０１８５】
受信無線部９１１は、アンテナ９０１から出力された信号の受信処理を行う。受信無線部９１１における受信処理には、たとえば、増幅、高周波帯からベースバンド帯への周波数変換、アナログ信号からデジタル信号への変換などが含まれる。受信無線部９１１は、受信処理を行った信号を復調・復号部９１２へ出力する。
【０１８６】
復調・復号部９１２は、受信無線部９１１から出力された信号の復調および復号を行う。そして、復調・復号部９１２は、復調および復号により得られた受信データを出力する。復調・復号部９１２から出力された受信データは、受信部９１０の上位レイヤの処理部、システム情報抽出部９１３、無線回線制御情報抽出部９１４、同期信号抽出部９１５およびパイロット抽出部９１９へ出力される。
【０１８７】
システム情報抽出部９１３は、復調・復号部９１２から出力された受信データに含まれる、基地局８００から報知情報（Ｂｒｏａｄｃａｓｔ  Ｉｎｆｏｒｍａｔｉｏｎ）として送信されたシステム情報（Ｓｙｓｔｅｍ  Ｉｎｆｏｒｍａｔｉｏｎ）を抽出する。システム情報には、たとえば、キャリアアグリゲーションの実施に関する情報、セルＩＤ使い分け情報などが含まれる。システム情報抽出部９１３は、抽出したシステム情報を、端末設定制御部９２２、セル選択制御部９２５へ出力する。
【０１８８】
また、システム情報抽出部９１３は、たとえば基地局５１１の配下の各小セルのセルＩＤ、周波数、帯域幅が、システムとして予め決められている場合は、抽出したシステム情報をシステム情報記憶部９２３に記憶させてもよい。この場合は、端末９００は、基地局５１１の大セル５２１においてその後はシステム情報を受信しなくてもよい。また、システム情報は予めシステム情報記憶部９２３に記憶されていてもよい。
【０１８９】
無線回線制御情報抽出部９１４は、復調・復号部９１２から出力された受信データに含まれる無線回線制御情報を抽出し、抽出した無線回線制御情報を無線回線制御部９２４へ出力する。無線回線制御情報には、ランダムアクセスレスポンスやハンドオーバ指示などが含まれる。
【０１９０】
同期信号抽出部９１５は、復調・復号部９１２から出力された受信データに含まれる同期信号であるＰＳＳおよびＳＳＳを抽出する。そして、同期信号抽出部９１５は、ＰＳＳおよびＳＳＳの抽出結果を、セルＩＤ抽出部９１６および同期制御部９２１へ出力する。
【０１９１】
セルＩＤ抽出部９１６は、同期信号抽出部９１５から出力された抽出結果に基づいて、ＰＳＳおよびＳＳＳの送信元のセルのセルＩＤを抽出する。そして、セルＩＤ抽出部９１６は、抽出したセルＩＤをパイロット算出部９１７、システム情報記憶部９２３およびセル選択制御部９２５へ出力する。
【０１９２】
パイロット算出部９１７は、セルＩＤ抽出部９１６から出力されたセルＩＤに基づくパイロットのパターンを算出する。そして、パイロット算出部９１７は、算出したパイロットのパターンを無線回線品質測定・算出部９１８へ通知する。
【０１９３】
無線回線品質測定・算出部９１８は、パイロット算出部９１７から通知されたパターンのパイロットを抽出するようにパイロット抽出部９１９を制御する。そして、無線回線品質測定・算出部９１８は、パイロット抽出部９１９から出力されたパイロットに基づく無線回線品質の測定を行い、測定結果に基づく無線回線品質情報の算出を行う。また、無線回線品質測定・算出部９１８は、算出した無線回線品質情報をセル選択制御部９２５および無線回線品質情報作成部９３１へ出力する。無線回線品質情報は、たとえば、ＣＱＩ、ＲＳＲＰ、ＲＳＲＱなどである。
【０１９４】
同期制御部９２１は、同期信号抽出部９１５から出力された抽出結果と、同期信号作成部９２６から出力された同期信号と、に基づいて、パイロットの送信元の基地局との間で同期をとる。同期は、たとえば、フレーム先頭のタイミングを合わせるなどの無線フレームの同期や、無線フレームを構成するスロットの同期や、スロットを構成するシンボル（または無線信号）である。なお１無線フレームは、２０スロット、または２スロットを１サブフレームとし１０サブフレームで構成される。
【０１９５】
同期制御部９２１は、同期をとったタイミングに基づいて、端末９００における受信や送信のタイミングを制御する同期制御を行う。たとえば、同期制御部９２１は、基地局との間で同期をとったタイミングを端末設定制御部９２２へ通知する。
【０１９６】
端末設定制御部９２２は、同期制御部９２１から通知されるタイミングに基づいて、受信無線部９１１、復調・復号部９１２、符号化・変調部９３３および送信無線部９３４の制御を行う。端末設定制御部９２２における制御は、たとえば、システム情報抽出部９１３から出力されたシステム情報や、システム情報記憶部９２３に記憶されたシステム情報が用いられる。また、端末設定制御部９２２における制御には、キャリアアグリゲーションなどに関する制御が含まれる。
【０１９７】
無線回線制御部９２４は、端末９００の無線回線の制御を行う。端末９００の無線回線の制御には、たとえばランダムアクセスやハンドオーバなどが含まれる。端末９００の無線回線の制御は、たとえば、システム情報記憶部９２３に記憶されたシステム情報や、無線回線制御情報抽出部９１４から出力された無線回線制御情報などに基づいて行われる。このシステム情報記憶部９２３に記憶されたシステム情報には、セルＩＤ抽出部９１６から出力されてシステム情報記憶部９２３に記憶されたセルＩＤも含まれる。無線回線制御部９２４は、無線回線の制御に応じた無線回線制御情報を無線回線制御信号作成部９３２へ通知する。
【０１９８】
セル選択制御部９２５は、端末９００が接続するＰセルおよびＳセルの選択を行う。セル選択制御部９２５によるセル選択は、無線回線品質測定・算出部９１８から出力された無線回線品質情報や、システム情報抽出部９１３から出力されたシステム情報や、システム情報記憶部９２３に記憶されたセル選択情報などに基づいて行われる。
【０１９９】
また、セル選択制御部９２５によるセル選択には、無線回線制御部９２４から出力された測定対象セルＩＤが用いられる。そして、セル選択制御部９２５は、選択したセルを無線回線品質情報作成部９３１へ通知する。また、セル選択制御部９２５は、無線回線制御部９２４から出力された測定対象セルＩＤをパイロット算出部９１７および同期信号作成部９２６へ出力する。
【０２００】
たとえば、セル選択制御部９２５は、Ｐセルを選択する場合に、システム情報抽出部９１３から出力されたシステム情報に含まれるセルＩＤ使い分け情報と、セルＩＤ抽出部９１６から出力されたセルＩＤと、に基づいて、Ｐセルとして接続可能なセルを選択する。
【０２０１】
また、セル選択制御部９２５は、Ｓセルを選択する場合に、システム情報抽出部９１３からのシステム情報に含まれるセルＩＤ使い分け情報と、セルＩＤ抽出部９１６からのセルＩＤと、に基づいて、Ｓセルとして接続可能なセルを選択してもよい。ただし、端末９００が接続するＳセルを基地局８００で選択する場合は、セル選択制御部９２５は、システム情報によって指示されるＳセルを選択する。
【０２０２】
また、セル選択制御部９２５は、無線回線制御部９２４から出力された測定対象セルＩＤに基づいて、無線回線品質測定・算出部９１８における無線回線品質の測定および算出の対象セルを制御する。
【０２０３】
同期信号作成部９２６は、セル選択制御部９２５から出力された測定対象セルＩＤに基づく同期信号を作成する。そして、同期信号作成部９２６は、作成した同期信号を同期制御部９２１へ出力する。
【０２０４】
送信部９３０には、送信部９３０の上位レイヤの処理部から、端末９００が送信すべき送信データが入力される。送信部９３０へ入力された送信データは符号化・変調部９３３へ入力される。
【０２０５】
無線回線品質情報作成部９３１は、無線回線品質測定・算出部９１８から出力された無線回線品質情報と、セル選択制御部９２５から通知されたセルと、に基づく無線回線品質情報を作成する。そして、無線回線品質情報作成部９３１は、作成した無線回線品質情報を、制御チャネルにマッピングして符号化・変調部９３３へ出力する。
【０２０６】
無線回線制御信号作成部９３２は、無線回線制御部９２４から通知された無線回線制御情報を作成し、作成した無線回線制御情報を制御チャネルにマッピングして符号化・変調部９３３へ出力する。
【０２０７】
符号化・変調部９３３は、入力された送信データや、無線回線品質情報作成部９３１および無線回線制御信号作成部９３２から出力された各情報（信号）の符号化および変調を行う。そして、符号化・変調部９３３は、符号化および変調によって得られた信号を送信無線部９３４へ出力する。
【０２０８】
送信無線部９３４は、符号化・変調部９３３から出力された信号の送信処理を行う。送信無線部９３４における送信処理には、たとえば、デジタル信号からアナログ信号への変換や、ベースバンド帯から高周波帯への周波数変換や、増幅などが含まれる。送信無線部９３４は、送信処理により得られた信号をアンテナ９０１へ出力する。
【０２０９】
図９Ｃは、実施の形態２にかかる端末のハードウェア構成の一例を示す図である。図９Ｃにおいて、図９Ａ，図９Ｂに示した部分と同様の部分については同一の符号を付して説明を省略する。図９Ａ，図９Ｂに示した端末９００は、たとえば図９Ｃに示す通信装置９４０により実現することができる。通信装置９４０は、アンテナ９０１と、ＬＳＩ９４１と、ＤＳＰ９４２と、メモリ９４３と、表示部９４４と、マイク９４５と、拡声器９４６と、を備える。
【０２１０】
ＬＳＩ９４１は、アンテナ９０１およびＤＳＰ９４２と接続されている。図９Ａ，図９Ｂに示した受信無線部９１１および送信無線部９３４は、たとえばＬＳＩ９４１などの回路により実現することができる。
【０２１１】
ＤＳＰ９４２は、ＬＳＩ９４１およびメモリ９４３に接続されている。ＤＳＰ９４２は、通信装置９４０の全体の制御を行う。メモリ９４３には、たとえばメインメモリおよび補助メモリが含まれる。メインメモリは、たとえばＲＡＭである。メインメモリは、ＤＳＰ９４２のワークエリアとして使用される。補助メモリは、たとえば磁気ディスク、フラッシュメモリなどの不揮発メモリである。補助メモリには、通信装置９４０を動作させる各種のプログラムが記憶されている。補助メモリに記憶されたプログラムは、メインメモリにロードされてＤＳＰ９４２によって実行される。
【０２１２】
図９Ａ，図９Ｂに示した復調・復号部９１２、システム情報抽出部９１３、無線回線制御情報抽出部９１４、同期信号抽出部９１５およびセルＩＤ抽出部９１６は、たとえばＤＳＰ９４２などの回路およびメモリ９４３により実現することができる。図９Ａ，図９Ｂに示したパイロット算出部９１７、無線回線品質測定・算出部９１８およびパイロット抽出部９１９は、たとえばＤＳＰ９４２などの回路およびメモリ９４３により実現することができる。
【０２１３】
図９Ａ，図９Ｂに示した同期制御部９２１、端末設定制御部９２２、システム情報記憶部９２３、無線回線制御部９２４およびセル選択制御部９２５は、たとえばＤＳＰ９４２などの回路およびメモリ９４３により実現することができる。図９Ａ，図９Ｂに示した無線回線品質情報作成部９３１、無線回線制御信号作成部９３２および符号化・変調部９３３は、たとえばＤＳＰ９４２などの回路およびメモリ９４３により実現することができる。また、ＤＳＰ９４２に代えて、ＣＰＵや、ＤＳＰとＣＰＵの組み合わせなどを用いてもよい。
【０２１４】
表示部９４４、マイク９４５および拡声器９４６は、通信装置９４０のユーザとの間のユーザインタフェースである。表示部９４４は、たとえばタッチパネルなど、入力デバイスを兼ねた装置であってもよい。
【０２１５】
（同期およびセルＩＤ算出）
フレーム同期やスロット同期などの同期およびセルＩＤについて説明する。ＬＴＥシステムの同期信号であるＰＳＳとＳＳＳは、セルＩＤを基に作成される。セルＩＤは、３つのセルＩＤを１グループとし、計１６８グループで構成されており、計５０４のセルＩＤが設定されている。グループを示すＮID（１）は０〜１６７の整数値であり、グループの要素を示すＮID（２）０〜２の整数値である。セルＩＤを式で表すと、たとえばＮID（ｃｅｌｌ）＝３ＮID（１）＋ＮID（２）となる。
【０２１６】
ここで、ＮID（ｃｅｌｌ）はセルＩＤを示す。ＮID（１）は１６８種類のグループ（セルグループ）を示す。ＮID（２）は３通りの識別子を示す。これにより、５０４種類のセルＩＤを表現できる。ＬＴＥやＬＴＥ−Ａｄｖａｎｃｅｄでは、ＰＳＳとＳＳＳとを対応付けることにより、ＰＳＳおよびＳＳＳを特定すれば、セルＩＤも特定できるようになっている。
【０２１７】
つぎに、ＰＳＳ（ルート系列）について説明する。ＰＳＳは、６２ｂｉｔの信号列である。ＰＳＳは、周波数領域のＺａｄｏｆｆ−Ｃｈｕ系列を用いて生成され、たとえば下記（６）式によって表すことができる。
【０２１８】
【数１】
2015211292.tif 000003
【０２１９】
ここで、ルートインデックスｕと、セルグループの識別子ＮID（２）と、が対応付けられている。ルートインデックスｕは、Ｚａｄｏｆｆ−Ｃｈｕルートシーケンスのインデックスを示し、予め３通りのルートインデックスｕが定義されている。端末９００は、ＰＳＳをブラインド推定し、検出された系列からＮID（２）を特定することができる。
【０２２０】
したがって、ＰＳＳとして３信号列が構成されることがわかる。すなわち、ＰＳＳを用いて同期を実施する場合、事前に３つの信号列を準備し、一致する信号系列を見つければよい。たとえば、端末９００は、受信したＰＳＳの信号列と上述した３つの信号列との相関を確認し、最も相関が高い、すなわち最も尤もらしい信号列を選択する。
【０２２１】
さらに、ＰＳＳは無線フレームを構成する１０サブフレーム（サブフレーム＃０〜サブフレーム＃９）および２０スロット（スロット＃０〜スロット＃１９）のうち、スロット＃０とスロット＃１０で送信される。よって、ＰＳＳを検出したスロットが、スロット＃０かスロット＃１０である。これを基に、スロット＃０またはスロット＃１０の先頭が算出でき、スロット同期を実施することができる。スロット＃０を含むサブフレーム＃０とスロット＃１０を含むサブフレーム＃５の先頭が算出でき、サブフレーム同期を実施することができる。さらに、スロット＃０は、無線フレームの先頭であることからフレーム同期を実施することができる。
【０２２２】
つぎに、ＳＳＳについて説明する。ＳＳＳは、ＰＳＳと同様に６２ｂｉｔの信号列であり、たとえば下記（７）式によって表すことができる。ＳＳＳは、長さ３１のバイナリ系列をインタリーブした構造となっており、ＰＳＳで与えられるスクランブル系列（ｃ0（ｎ）、ｃ1（ｎ））を用いてスクランブルされている。ただし、０≦ｎ≦３０である。
【０２２３】
【数２】
2015211292.tif 000004
【０２２４】
ｍ0およびｍ1は、ＮID（１）と対応付けられており、下記（８）式によって表すことができる。
【０２２５】
【数３】
2015211292.tif 000005
【０２２６】
上記（８）式によるｍ0およびｍ1とＮID（１）との関係は、たとえば予めシステムにおいて定義されている。また、ｓ0（ｍ0）（ｎ）およびｓ1（ｍ1）（ｎ）は、ｍ系列＾ｓ（ｎ）をサイクリックシフトすることによって生成される。すなわち、ｓ0（ｍ0）（ｎ）およびｓ1（ｍ1）（ｎ）は、下記（９）式によって表すことができる。
【０２２７】
【数４】
2015211292.tif 000006
【０２２８】
また、ｍ系列＾ｓ（ｎ）は、下記（１０）式によって表すことができる。
【０２２９】
【数５】
2015211292.tif 000007
【０２３０】
なお、初期状態においては、ｘ（０）＝０、ｘ（１）＝０、ｘ（２）＝０、ｘ（３）＝０、ｘ（４）＝１となる。
【０２３１】
つぎに、ｃ0（ｎ）およびｃ1（ｎ）について説明する。ｃ0（ｎ）およびｃ1（ｎ）は、ＰＳＳに依存するスクランブル系列であり、ｍ系列＾ｓ（ｎ）のサイクリックシフトとして表される。すなわち、ｃ0（ｎ）およびｃ1（ｎ）は、たとえば下記（１１）式によって表すことができる。
【０２３２】
【数６】
2015211292.tif 000008
【０２３３】
＾ｃ（ｎ）は、ｍ系列＾ｓ（ｎ）と同様に＾ｃ（ｉ）＝１−２ｘ（ｉ）と表されるが、ｘ（ｉ）が下記（１２）式のようになる点でｍ系列＾ｓ（ｎ）と異なる。
【０２３４】
【数７】
2015211292.tif 000009
【０２３５】
つぎに、ｚ1（ｍ0）（ｎ）およびｚ1（ｍ1）（ｎ）について説明する。ｚ1（ｍ0）（ｎ）およびｚ1（ｍ1）（ｎ）もｍ系列＾ｓ（ｎ）をサイクリックシフトすることにより生成され、たとえば下記（１３）式によって表すことができる。
【０２３６】
【数８】
2015211292.tif 000010
【０２３７】
＾ｚ（ｎ）も、ｍ系列＾ｓ（ｎ）と同様に＾ｚ（ｉ）＝１−２ｘ（ｉ）と表されるが、ｘ（ｉ）が下記（１４）式のようになる点でｍ系列＾ｓ（ｎ）と異なる。
【０２３８】
【数９】
2015211292.tif 000011
【０２３９】
端末９００において、ＳＳＳの生成メカニズム（ｍ系列やＰＳＳによるスクランブリングなど）は既知であるため、これらの情報に基づいて、ｍ0およびｍ1を特定し、ＮID（１）を導出することができる。そして、ＮID（１）およびＮID（２）に基づいてＮID（ｃｅｌｌ）を導出することができる。
【０２４０】
また、ＳＳＳを受信した端末９００は、ＰＳＳで求めたＮID（２）を基に算出したｃ0（ｎ）およびｃ1（ｎ）で受信ＳＳＳの偶数（ｄ（２ｎ））を除算することにより、受信信号であるｓ0（ｍ0）（ｎ）およびｓ1（ｍ1）（ｎ）を求める。
【０２４１】
また、端末９００は、特定したｍ0およびｍ1より作成したｓ0（ｍ0）（ｎ）とｓ1（ｍ1）（ｎ）との相関を計算することにより、受信したＳＳＳのｍ0とｍ1を導出し、ＮID（１）を導き出す。これにより、セルＩＤが算出可能になる。また、セルＩＤに基づくスロット同期およびフレーム同期が可能となる。
【０２４２】
スロット同期（またはフレーム同期）がとれてセルＩＤであるＮID（ｃｅｌｌ）がわかると、周辺基地局が送信するパイロット信号も導き出すことができる。ＬＴＥにおけるパイロット信号列は、たとえば下記（１５）式〜下記（１７）式で算出される。
【０２４３】
【数１０】
2015211292.tif 000012
【０２４４】
【数１１】
2015211292.tif 000013
【０２４５】
【数１２】
2015211292.tif 000014
【０２４６】
ｎsはスロット番号を示す。スロット番号は、スロット同期をとることで識別することができる。ｌは、スロットにおけるＯＦＤＭシンボル番号を示す。ＯＦＤＭシンボル番号について、パイロット信号の時間方向の配置は予め規定されている。ｃ（ｉ）は、疑似ランダム信号列（ＰＮ：Ｐｓｅｕｄｏ−ｒａｎｄｏｍ  Ｎｏｉｓｅ）を示す。
【０２４７】
ＮCPは、Ｎｏｒｍａｌ  ＣＰまたはＥｘｔｅｎｄｅｄ  ＣＰである。Ｅｘｔｅｎｄｅｄ  ＣＰは、大きなセルまたはＭＢＳＦＮ（Ｍｕｌｔｉｃａｓｔ−Ｂｒｏａｄｃａｓｔ  Ｓｉｎｇｌｅ  Ｆｒｅｑｕｅｎｃｙ  Ｎｅｔｗｏｒｋ）伝送を実施する場合に用いられ、通常のＣＰ（Ｎｏｒｍａｌ  ＣＰ）よりも時間がないものである。
【０２４８】
このように、セルＩＤがわかるとパイロット信号列が算出可能になる。このため、パイロット信号列を受信した端末９００は、同期信号を受信することで算出したセルＩＤを基に作成したパイロット信号列と受信したパイロット信号列を比較することにより、ＯＦＤＭシンボル単位（単にシンボルとする）の同期が可能となる。
【０２４９】
上述したように、ＬＴＥシステムの同期信号（ＰＳＳおよびＳＳＳ）は、セルＩＤに基づいて作成されている。また、セルＩＤは、０〜５０３の値を持ち、セルＩＤを３で除算した余り、すなわちＮID（ｃｅｌｌ）ｍｏｄ３は０，１，２のいずれかとなる。このため、セルＩＤは、たとえば３で除算した余りによって３つのグループに分けられる。
【０２５０】
また、ＰＳＳは上記（６）式に基づいて算出され、ＳＳＳは上記（７）式〜上記（１４）式に基づいて算出される。よって、ＰＳＳとＳＳＳを受信し、それぞれの同期信号からセルＩＤを算出することができる。
【０２５１】
たとえば、ＮID（２）の３つの値（０〜２）に対して、一例としては下記（１８）式のように割り当てを行うことができる。
【０２５２】
【数１３】
2015211292.tif 000015
【０２５３】
上記（１８）式において、ＮID（２）が０である場合は、該当する同期信号が送信されるセルがＰセルとして接続可能であること（ＰＣｅｌｌ）を示す。ＮID（２）が１である場合は、該当する同期信号が送信されるセルがＳセルとして接続可能であること（ＳＣｅｌｌ）を示す。ＮID（２）が２である場合は、該当する同期信号が送信されるセルがＰセルおよびＳセルのいずれとしても接続可能であること（ＰＣｅｌｌ，ＳＣｅｌｌ）を示す。
【０２５４】
また、ＮID（２）の３つの値（０〜２）に対して、一例としては下記（１９）式のように割り当てを行うことができる。
【０２５５】
【数１４】
2015211292.tif 000016
【０２５６】
上記（１９）式において、ＮID（２）が０である場合は、階層化セル構成であり、かつ該当する同期信号が送信されるセルがＰセルとして接続可能であること（ＰＣｅｌｌ）を示す。ＮID（２）が１である場合は、階層化セル構成であり、かつ該当する同期信号が送信されるセルがＳセルとして接続可能であること（ＳＣｅｌｌ）を示す。ＮID（２）が２である場合は、通常セル構成（非階層化セル構成）であり、かつ該当する同期信号が送信されるセルがＰセルおよびＳセルのいずれとしても接続可能であること（ＰＣｅｌｌ，ＳＣｅｌｌ）を示す。
【０２５７】
ただし、上記（１８）式および上記（１９）式の割り当ては一例であり、Ｐセルとして接続可能であるか、Ｓセルとして接続可能であるかが判別できれば、異なる設定であってもよい。さらに、上述のようにＳＳＳからＮID（１）を導き出すことで、そのセルがＰセルとして使用されるか、Ｓセルとして使用されるかを判別することができる。
【０２５８】
上記（１８）式または上記（１９）式の割り当てを示すセルＩＤ使い分け情報は、たとえば、システム共通情報として予め基地局８００および端末９００において記憶しておいてもよいし、システム情報として基地局８００が端末９００へ報知してもよい。また、基地局８００へのセルＩＤの割り当てが基地局８００の上位装置において行われる場合は、基地局８００ではなく上位装置にセルＩＤ使い分け情報を記憶しておいてもよい。
【０２５９】
（実施の形態２にかかる端末によるＰセル接続処理）
図１０は、実施の形態２にかかる端末によるＰセル接続処理の一例を示すフローチャートである。端末９００は、Ｐセル接続処理として、たとえば図１０に示す各ステップを実行する。まず、端末９００は、セルＩＤ使い分け情報を読み出す（ステップＳ１００１）。セルＩＤ使い分け情報は、たとえば上記（１８）式または上記（１９）式の割り当てを示す情報である。たとえば、端末９００は、端末９００のメモリに記憶されたセルＩＤ使い分け情報を読み出す。つぎに、端末９００は、ｎを初期化（ｎ＝１）する（ステップＳ１００２）。ｎは、接続候補のセルのインデックスが格納される変数である。
【０２６０】
つぎに、端末９００は、セルｎに同期する（ステップＳ１００３）。つぎに、端末９００は、ステップＳ１００３によって同期したセルｎのセルＩＤを特定する（ステップＳ１００４）。たとえば、端末９００は、セルｎから送信されるＰＳＳからＮID（２）を算出する。また、端末９００は、セルｎから送信されるＳＳＳからＮID（１）を算出する。そして、端末９００は、算出したＮID（２）およびＮID（１）からセルｎのセルＩＤを特定する。たとえば、セルＩＤは、上述したようにＮID（ｃｅｌｌ）＝３ＮID（１）＋ＮID（２）によって算出することができる。
【０２６１】
つぎに、端末９００は、ステップＳ１００３によって同期したセルｎが、Ｐセルとして接続可能なセルか否かを判断する（ステップＳ１００５）。ステップＳ１００５の判断は、ステップＳ１００１によって読み出したセルＩＤ使い分け情報と、ステップＳ１００４によって特定したセルＩＤと、に基づいて行われる。たとえば、セルＩＤ使い分け情報が上記（１８）式または上記（１９）式の割り当てを示す情報である場合は、端末９００は、セルＩＤを３で除算した余りと、セルＩＤ使い分け情報と、に基づいてステップＳ１００５の判断を行う。
【０２６２】
ステップＳ１００５において、Ｐセルとして接続可能なセルでない場合（ステップＳ１００５：Ｎｏ）は、端末９００は、ステップＳ１００８へ移行する。Ｐセルとして接続可能なセルである場合（ステップＳ１００５：Ｙｅｓ）は、端末９００は、セルｎの無線回線品質を測定する（ステップＳ１００６）。ステップＳ１００６によって測定される無線回線品質は、たとえばＲＳＲＱやＲＳＲＰなどである。
【０２６３】
つぎに、端末９００は、ステップＳ１００６によって測定した無線回線品質に基づくセルｎの受信品質評価結果を算出する（ステップＳ１００７）。受信品質評価結果の算出には、たとえばセルｎの優先度などの調整情報が用いられる。調整情報は、たとえばセルｎに同期した後にセルｎから受信したシステム情報から取得することができる。
【０２６４】
つぎに、端末９００は、ｎをインクリメント（ｎ＝ｎ＋１）する（ステップＳ１００８）。つぎに、端末９００は、ｎがＫより大きくなったか否かを判断する（ステップＳ１００９）。Ｋは、端末９００の接続候補のセルの数である。ｎがＫより大きくなっていない場合（ステップＳ１００９：Ｎｏ）は、端末９００は、ステップＳ１００３へ戻る。
【０２６５】
ステップＳ１００９において、ｎがＫより大きくなった場合（ステップＳ１００９：Ｙｅｓ）は、端末９００は、ステップＳ１００５においてＰセルとして接続可能なセルであると判断したセルの中から接続先のセルを選択する（ステップＳ１０１０）。接続先のセルの選択は、たとえばステップＳ１００７によって算出された受信品質評価結果の比較結果に基づいて行われる。
【０２６６】
つぎに、端末９００は、ステップＳ１０１０によって選択したセルに対するランダムアクセスなどの回線接続を実行し（ステップＳ１０１１）、一連のＰセル接続処理を終了する。ステップＳ１０１１における回線接続は、Ｐセルへの接続であるため、たとえば競合ベースのランダムアクセス（たとえば図７Ａ参照）によって行われる。
【０２６７】
たとえば、端末９００は、ステップＳ１０１０によって選択したセルに対して再び同期をとり、選択したセルから回線接続に関するシステム情報を受信する。このシステム情報には、たとえば、使用可能なランダムアクセスプリアンブルの組、ランダムアクセスプリアンブルの送信フォーマット、ランダムアクセスプリアンブルの送信タイミング、ランダムアクセスプリアンブルの送信電力の初期値などが含まれる。これらの情報は、ＬＴＥシステムにおいては、たとえば３ＧＰＰのＴＳ３６．３３１で定義されたＳＩＢ２に含まれている。
【０２６８】
端末９００は、このＳＩＢ２に含まれる回線接続のための情報に基づいて、たとえば図７Ａに示した競合ベースのランダムアクセスを開始する。このとき、ランダムアクセスプリアンブルは、端末９００を識別するための情報として使用される。また、端末９００は、競合ベースのランダムアクセスに、ＲＡＣＨ（Ｒａｎｄｏｍ  Ａｃｃｅｓｓ  ＣＨａｎｎｅｌ：ランダムアクセスチャネル）またはＰＲＡＣＨ（Ｐｈｙｓｉｃａｌ  ＲＡＣＨ：物理ランダムアクセスチャネル）の設定情報を用いてもよい。
【０２６９】
ここでは、端末９００がセルｎのセルＩＤを特定し、特定したセルＩＤとセルＩＤ使い分け情報とに基づいてステップＳ１００５の判断を行う場合について説明した。これに対して、端末９００がＰＳＳから算出したＮID（２）とセルＩＤ使い分け情報とに基づいてステップＳ１００５の判断を行ってもよい。この場合は、ステップＳ１００４によるセルＩＤの特定を省いてもよいし、ステップＳ１００４によるセルＩＤの特定をステップＳ１００５より後に行ってもよい。
【０２７０】
図１１は、実施の形態２にかかる端末によるＰセル接続処理の変形例１を示すフローチャートである。端末９００は、Ｐセル接続処理として、たとえば図１１に示す各ステップを実行してもよい。まず、端末９００は、基地局８００からセルＩＤ使い分け情報を受信する（ステップＳ１１０１）。たとえば、端末９００は、ある基地局に対して待ち受け（キャンプオン）または接続を実施するために、周辺基地局からの無線回線品質を測定し、測定結果が最も良好なセルを選択する。
【０２７１】
たとえば、端末９００は、受信電力を測定し、最も受信電力の高いセルを選択する。この受信電力は、たとえばＲＳＳＩ（Ｒｅｃｅｉｖｅｄ  Ｓｉｇｎａｌ  Ｓｔｒｅｎｇｔｈ  Ｉｎｄｉｃａｔｏｒ：受信信号強度）などの特定の信号（たとえばパイロット）に基づく受信電力とすることができる。また、この受信電力は、たとえば包絡線検波（Ｅｎｖｅｌｏｐｅ  ｄｅｔｅｃｔｉｏｎ）などに基づく受信電力としてもよい。そして、端末９００は、選択したセルに同期し、同期したセルからセルＩＤ使い分け情報を受信する。
【０２７２】
つぎに、端末９００は、ステップＳ１１０１によって受信したセルＩＤ使い分け情報を端末９００のメモリに記憶する（ステップＳ１１０２）。図１１に示すステップＳ１１０３〜Ｓ１１１３は、図１０に示したステップＳ１００１〜Ｓ１０１１と同様である。ただし、ステップＳ１１０３において、端末９００は、ステップＳ１１０２によって記憶したセルＩＤ使い分け情報を読み出す。
【０２７３】
図１１に示したように、端末９００は、基地局８００からセルＩＤ使い分け情報を受信してもよい。これにより、たとえば、基地局によってセルＩＤ使い分け情報が異なる場合であっても、無線通信を行う基地局のセルＩＤ使い分け情報を取得することができる。
【０２７４】
図１０，図１１に示したように、ＰセルとＳセルで異なるセルＩＤを割り当てることで、端末９００は同期信号から特定したセルＩＤによってＰセルか否かを判断することができる。これにより、たとえばＰセルとして接続できないセルを選択して接続することを抑制し、Ｐセルとして最適なセルを選択して接続することが可能となる。なお、ここで最適なセルとは、受信電力が最も高い基地局であってもよいし、受信信号品質が最もよいセルであってもよい。また、受信電力と受信信号品質の両方を考慮して最適なセルを選択することもできる。
【０２７５】
また、たとえば図１０，図１１に示したように、Ｐセルとして接続可能でないセルについての無線回線品質の測定を行わないようにすることができる。これにより、無線回線品質の測定の効率化を図ることができる。
【０２７６】
（実施の形態２にかかる端末によるＳセル接続処理）
図１２は、実施の形態２にかかる端末によるＳセル接続処理の一例を示すフローチャートである。端末９００は、たとえば図１０，図１１に示したＰセル接続処理によってＰセル（たとえば基地局５１１）に接続した状態で、Ｓセル接続処理として、たとえば図１２に示す各ステップを実行する。
【０２７７】
まず、端末９００は、Ｐセルの隣接セルのセル情報をＰセルから受信する（ステップＳ１２０１）。Ｐセルの隣接セルは、端末９００のＳセルの候補となるセルである。セル情報は、たとえばＰセルの配下の各小セルの周波数、帯域幅、セルＩＤなどのシステム情報などを含んでいてもよい。
【０２７８】
つぎに、端末９００は、無線回線品質の測定を要求する無線回線品質測定要求をＰセルから受信する（ステップＳ１２０２）。なお、たとえば端末９００が無線回線品質の測定を周期的に行う場合は、ステップＳ１２０２を省いた処理としてもよい。
【０２７９】
つぎに、端末９００は、ｎを初期化（ｎ＝１）する（ステップＳ１２０３）。ｎは、ステップＳ１２０１によって受信したセル情報が示す接続候補のセルのインデックスを格納する変数である。つぎに、端末９００は、セルｎに同期する（ステップＳ１２０４）。ステップＳ１２０４による同期は、たとえばステップＳ１２０１によって受信したセル情報に含まれる周波数、帯域幅、セルＩＤなどに基づいて行うことができる。
【０２８０】
つぎに、端末９００は、ステップＳ１２０４によって同期したセルｎのセルＩＤを特定する（ステップＳ１２０５）。ステップＳ１２０５におけるセルＩＤの特定は、たとえば図１０に示したステップＳ１００４におけるセルＩＤの特定と同様である。
【０２８１】
つぎに、端末９００は、ステップＳ１２０４によって同期したセルｎが、Ｓセルとして接続可能なセルか否かを判断する（ステップＳ１２０６）。ステップＳ１２０６の判断は、セルＩＤ使い分け情報と、ステップＳ１２０５によって特定したセルＩＤと、に基づいて行われる。たとえば、セルＩＤ使い分け情報が上記（１８）式または上記（１９）式の割り当てを示す情報である場合は、端末９００は、セルＩＤを３で除算した余りと、セルＩＤ使い分け情報と、に基づいてステップＳ１２０５の判断を行う。
【０２８２】
セルＩＤ使い分け情報は、たとえば図１０に示したステップＳ１００１によって読み出したセルＩＤ使い分け情報、または図１１に示したステップＳ１１０３によって読み出したセルＩＤ使い分け情報である。Ｓセルとして接続可能なセルでない場合（ステップＳ１２０６：Ｎｏ）は、端末９００は、ステップＳ１２０９へ移行する。
【０２８３】
ステップＳ１２０６において、Ｓセルとして接続可能なセルである場合（ステップＳ１２０６：Ｙｅｓ）は、端末９００は、セルｎの無線回線品質を測定する（ステップＳ１２０７）。ステップＳ１２０７によって測定される無線回線品質は、たとえばＲＳＲＱやＲＳＲＰなどである。ステップＳ１２０７による無線回線品質の測定は、たとえばステップＳ１２０１によって受信したセル情報に含まれる周波数、帯域幅、セルＩＤなどに基づいて行うことができる。つぎに、端末９００は、ステップＳ１２０７による無線回線品質の測定結果を、接続中のＰセルへ送信する（ステップＳ１２０８）。
【０２８４】
つぎに、端末９００は、ｎをインクリメント（ｎ＝ｎ＋１）する（ステップＳ１２０９）。つぎに、端末９００は、ｎがＫより大きくなったか否かを判断する（ステップＳ１２１０）。Ｋは、ステップＳ１２０１によって受信したセル情報が示す端末９００の接続候補のセルの数である。ｎがＫより大きくなっていない場合（ステップＳ１２１０：Ｎｏ）は、端末９００は、ステップＳ１２０４へ戻る。
【０２８５】
ステップＳ１２１０において、ｎがＫより大きくなった場合（ステップＳ１２１０：Ｙｅｓ）は、端末９００は、Ｓセル追加要求をＰセルから受信する（ステップＳ１２１１）。Ｓセル追加要求は、ステップＳ１２０８によって送信した測定結果に基づいてＰセルが選択したセルをＳセルとして追加することを端末９００に要求する制御信号である。
【０２８６】
つぎに、端末９００は、ステップＳ１２１１によって受信したＳセル追加要求に基づくランダムアクセスなどの回線接続を実行し（ステップＳ１２１２）、一連のＳセル接続処理を終了する。ステップＳ１２１２における回線接続は、Ｓセルへの接続であるため、たとえば非競合ベースのランダムアクセス（たとえば図７Ｂ参照）によって行われる。
【０２８７】
たとえば、Ｓセル追加要求には、接続先のＳセルにおいて利用可能な非競合ベースのランダムアクセスの個別プリアンブルが含まれる。端末９００は、Ｓセル追加要求に含まれる個別プリアンブルを用いて非競合ベースのランダムアクセスを行うことで、Ｐセルによって選択されたＳセルに接続することができる。
【０２８８】
なお、下り回線しか設定されないＳセルの場合は、端末９００は、ステップＳ１２１２においてランダムアクセスを実施せず、回線を追加することで回線接続を実施する。すなわち選択されたＳセルを受信するように端末９００に対して要求し、要求を受けた端末９００は新たに選択されたＳセルを受信するように設定する。
【０２８９】
（実施の形態２にかかる基地局によるＳセル選択処理）
図１３は、実施の形態２にかかる基地局（Ｐセル）によるＳセル選択処理の一例を示すフローチャートである。端末９００がＰセルとして接続している基地局８００（たとえば基地局５１１）は、端末９００のためのＳセル選択処理として、たとえば図１３に示す各ステップを実行する。
【０２９０】
まず、基地局８００は、自セルの隣接セル（たとえば基地局５３１のセル）のセル情報を端末９００へ送信する（ステップＳ１３０１）。つぎに、基地局８００は、無線回線品質の測定を要求する無線回線品質測定要求を端末９００へ送信する（ステップＳ１３０２）。なお、たとえば端末９００が無線回線品質の測定を周期的に行う場合は、ステップＳ１３０２を省いた処理としてもよい。つぎに、基地局８００は、たとえば図１２に示したステップＳ１２０８によって端末９００から送信される無線回線品質の測定結果を受信する（ステップＳ１３０３）。
【０２９１】
つぎに、基地局８００は、ステップＳ１３０３によって受信した測定結果に基づく受信品質評価結果を算出する（ステップＳ１３０４）。受信品質評価結果の算出には、セルの優先度やオフセットなどが用いられる。優先度やオフセットなどに基づく受信品質評価結果の算出は、たとえば上述したＰセルについての受信品質評価結果の算出と同様である。
【０２９２】
つぎに、基地局８００は、端末９００がＳセルとして接続可能なセルの中から、端末９００の接続先のセルを選択する（ステップＳ１３０５）。接続先のセルの選択は、たとえばステップＳ１３０４で算出された受信品質評価結果の比較結果に基づいて行われる。たとえば、基地局８００は、受信品質評価結果が最も高いセルや、受信品質評価結果が閾値以上のセルのうちのいずれかを、接続先のセルに選択する。
【０２９３】
つぎに、基地局８００は、ステップＳ１３０５によって選択したセル（たとえば基地局５３１）へ、端末９００が接続するための接続情報を要求する接続情報要求を送信する（ステップＳ１３０６）。接続情報には、たとえば非競合ベースのランダムアクセスの個別プリアンブルが含まれる。この個別プリアンブルは、特定の期間において特定の端末のみが使用可能なランダムアクセスプリアンブルであり、個別ランダムアクセスプリアンブルとも呼ばれる。
【０２９４】
つぎに、基地局８００は、ステップＳ１３０５によって選択したセルから、ステップＳ１３０６によって送信した接続情報要求に対する接続情報を受信する（ステップＳ１３０７）。つぎに、基地局８００は、ステップＳ１３０７によって受信した個別プリアンブルなどの接続情報を含むＳセル追加要求であってＳセルの追加を要求するＳセル追加要求を端末９００へ送信し（ステップＳ１３０８）、一連のＳセル選択処理を終了する。
【０２９５】
（実施の形態２にかかる端末によるＳセル選択）
Ｓセルの選択を基地局８００において選択する場合について説明したが、Ｓセルの選択を端末９００において行ってもよい。
【０２９６】
図１４は、実施の形態２にかかる端末によるＳセル接続処理の変形例を示すフローチャートである。端末９００は、Ｓセル接続処理として、たとえば図１４に示す各ステップを実行してもよい。まず、端末９００は、ｎを初期化（ｎ＝１）する（ステップＳ１４０１）。ｎは、接続候補のセルのインデックスが格納される変数である。
【０２９７】
つぎに、端末９００は、セルｎに同期する（ステップＳ１４０２）。つぎに、端末９００は、ステップＳ１４０２によって同期したセルｎのセルＩＤを特定する（ステップＳ１４０３）。ステップＳ１４０３におけるセルＩＤの特定は、たとえば図１０に示したステップＳ１００４におけるセルＩＤの特定と同様である。
【０２９８】
つぎに、端末９００は、ステップＳ１４０３によって特定したセルＩＤと、セルＩＤ使い分け情報と、に基づいて、ステップＳ１４０２によって同期したセルｎが、Ｓセルとして接続可能なセルか否かを判断する（ステップＳ１４０４）。ステップＳ１４０４の判断は、たとえば図１２に示したステップＳ１２０６の判断と同様である。Ｓセルとして接続可能なセルでない場合（ステップＳ１４０４：Ｎｏ）は、端末９００は、ステップＳ１４０７へ移行する。
【０２９９】
ステップＳ１４０４において、Ｓセルとして接続可能なセルである場合（ステップＳ１４０４：Ｙｅｓ）は、端末９００は、セルｎの無線回線品質を測定する（ステップＳ１４０５）。ステップＳ１４０５によって測定される無線回線品質は、たとえばＲＳＲＱやＲＳＲＰなどである。
【０３００】
つぎに、端末９００は、ステップＳ１４０５によって測定した無線回線品質に基づくセルｎの受信品質評価結果を算出する（ステップＳ１４０６）。受信品質評価結果の算出には、セルｎの優先度などの調整情報が用いられる。調整情報は、たとえばセルｎに同期した後にセルｎから受信したシステム情報から取得することができる。
【０３０１】
つぎに、端末９００は、ｎをインクリメント（ｎ＝ｎ＋１）する（ステップＳ１４０７）。つぎに、端末９００は、ｎがＫより大きくなったか否かを判断する（ステップＳ１４０８）。Ｋは、端末９００の接続候補のセルの数である。ｎがＫより大きくなっていない場合（ステップＳ１４０８：Ｎｏ）は、端末９００は、ステップＳ１４０２へ戻る。
【０３０２】
ステップＳ１４０８において、ｎがＫより大きくなった場合（ステップＳ１４０８：Ｙｅｓ）は、端末９００は、ステップＳ１４０４においてＳセルとして接続可能なセルであると判断したセルの中から接続先のセルを選択する（ステップＳ１４０９）。接続先のセルの選択は、たとえばステップＳ１４０６によって算出された受信品質評価結果の比較結果に基づいて行われる。
【０３０３】
つぎに、端末９００は、ステップＳ１４０９によって選択したセルに対するランダムアクセスなどの回線接続を実行し（ステップＳ１４１０）、一連のＳセル接続処理を終了する。ステップＳ１４１０における回線接続は、たとえば競合ベースのランダムアクセス（たとえば図７Ａ参照）によって行われる。または、ステップＳ１４１０における回線接続は、非競合ベースのランダムアクセス（たとえば図７Ｂ参照）によって行われてもよい。
【０３０４】
ここでは、ＮID（２）に基づいてＰセルであるかＳセルであるかなどを使い分ける場合について説明した。これに対して、たとえばセルＩＤ（０〜５０３）に対して、Ｐセルとしてのみ接続可能か、Ｓセルとしてのみ接続可能か、およびＰセルとしてもＳセルとしても接続可能かを使い分けるようにしてもよい。
【０３０５】
（ＰセルおよびＳセルに対するセルＩＤの割り当て）
図１５は、ＰセルおよびＳセルに対するセルＩＤの割り当ての一例を示す図である。図１５に示すテーブル１５００は、ＰセルとＳセルのそれぞれに対するセルＩＤの割り当てを示している。たとえば、ルール番号「０」は、１０の倍数のセルＩＤをＰセルとし、他のセルＩＤはＳセルとする割り当てを示している。また、ルール番号「１」は、１０で除算した余りが１であるセルＩＤをＰセルとし、他のセルＩＤはＳセルとする割り当てを示している。
【０３０６】
たとえば、基地局８００は、テーブル１５００の各ルールのうち、基地局８００を含むシステムにおいて適用されているルールをセルＩＤ使い分け情報として報知し、端末９００がこのセルＩＤ使い分け情報を受信する。または、基地局８００および端末９００が予めテーブル１５００を記憶していてもよい。この場合は、基地局８００は、テーブル１５００の各ルールのうち、基地局８００を含むシステムにおいて適用されているルールを示すルール番号をセルＩＤ使い分け情報として報知する。
【０３０７】
これらのセルＩＤ使い分け情報は、たとえば上述したシステム情報として報知される。または、これらのセルＩＤ使い分け情報は、たとえば後述の隣接セルリストとして報知されてもよい。
【０３０８】
なお、ＰセルとＳセルのそれぞれに対するセルＩＤの割り当ては、テーブル１５００に示した各ルールに限らず、各種の割り当てを用いることができる。たとえば、テーブル１５００の各ルールは、セルＩＤを１０で除算した余りに応じた割り当てとなっているが、他の一例としてはセルＩＤを４で除算した余りに応じた割り当てなどにしてもよい。
【０３０９】
また、セルＩＤを所定値で除算した余りに応じた割り当てに限らず、たとえば０〜所定値までのセルＩＤをＰセル、所定値＋１から５０３のセルＩＤをＳセルとするなど、セルＩＤの範囲による割り当てとしてもよい。または、たとえば、ＰセルとＳセルのそれぞれに対するセルＩＤの割り当ては、ランダムに決定された割り当てであってもよい。すなわち、ＰセルとＳセルのそれぞれに対するセルＩＤの割り当ては、たとえば端末９００において、セルＩＤからＰセルとＳセルの使い分けが判別できるものであればよい。
【０３１０】
このように、実施の形態２によれば、階層化セル構成において、基地局８００からの同期信号の送信に対して、Ｐセル用とＳセル用とで異なるセルＩＤ（リソース）を割り当てることで、端末９００におけるＰセルとＳセルの選択誤りを抑制することができる。
【０３１１】
たとえば、ＬＴＥシステムやＷ−ＣＤＭＡシステムなどでは、端末に対して、端末が接続している基地局の周辺のセルの情報を隣接セルリストとして通知している。通知を受けた端末は、その隣接セルリストを保存する。保存に際して、端末は、それ以前に接続した基地局およびその隣接セルに関する情報をセルリスト（Ｖｉｓｉｔｅｄ  Ｌｉｓｔ）として保存する。また、端末は、移動に伴ってセルリストに含まれないセルの情報を受信した場合は、セルリストに新たなセルの情報を追加して保存する。そして、端末は、セルリストに基づいて隣接セルの無線回線品質の測定を実施し、セル選択やセル再選択を行う。
【０３１２】
一方で、上述のように、３ＧＰＰでは、マクロセルをＰセルとしマクロセルの配下のスモールセル（たとえばピコセル）をＳセルとする構成が検討されている。Ｐセルでは主に制御情報を伝送し、Ｓセルでは主にユーザデータ（個別データ）を伝送することが考えられている。ここで、スモールセルは、マクロセルに対してそのエリアが小さい。このため、端末の移動に伴って隣接セルが増加する。すなわち、隣接セルリストの内容が増加する。その結果、端末に保存されるセルリストが増加する。
【０３１３】
また、３ＧＰＰで議論されているＬＴＥ−Ａｄｖａｎｃｅｄシステムは第４世代と呼ばれており、ＩＴＵではＩＭＴ−Ａｄｖａｎｃｅｄと呼ばれている。スマートフォンの普及や新興国での携帯電話の普及により、世界的に無線通信のトラフィックは増加している。一方で、仕様可能な周波数には限りがあり、伝搬損が少なく空きの少ない８００［ＭＨｚ］帯から、広帯域化可能なより高い周波数へと使用可能な周波数が追加されている。
【０３１４】
このため、既にＬＴＥのＴＤＤでは、３．６［ＧＨｚ］帯の使用が決まっている（たとえば３ＧＰＰのＴＳ３６．１０４参照）。しかしながら、周波数が高くなればなるほど伝搬損は大きくなり、伝搬は直進のみとなり電波の回折も減少する。このため、通信不可能な不感地帯（Ｄｅａｄ  Ｓｐｏｔ）が多数発生する。この不感地帯をカバーするためのスモールセルが配置されることとなる。すなわち、マクロセル内の不感地帯が多数になり、スモールセルが多数配置されることとなる。
【０３１５】
このようにスモールセルが多数配置された場合に、上述のように端末が記憶すべきセルリストが増えてしまう。さらには、セル選択やセル再選択の対象となるセルが多数となる。この結果として、各セルについての無線回線品質の測定および通知を実施するため、それらの処理量が大きくなってしまう。
【０３１６】
これに対して、実施の形態２においては、セルＩＤに基づいて、ＰセルかＳセルかを事前に決めておく。すなわち、セルＩＤを用いてＰセルとＳセルの使い分けを実施する。一例としては、１０の倍数のセルＩＤをＰセルとし、他のセルＩＤはＳセルとする。これらの割り当てを示すセルＩＤ使い分け情報を、上述のシステム情報として基地局８００から端末９００に報知する。
【０３１７】
このセルＩＤの使い分けにより、Ｓセルとしてのみ使用可能なセルに対して、誤ってＰセルとしてセル選択したり接続要求の送信をしたりすることを防止できる。逆に、Ｐセルとしてのみ使用可能なセルに対して、誤ってＳセルとしてセル選択したり、接続要求を送信したりすることを防止できる。
【０３１８】
また、Ｐセルを選択する際に、Ｐセルとして接続可能でないセルについての無線回線品質の測定を行わないようにすることができる。また、Ｐセルを選択する際に、Ｐセルとして接続可能でないセルについての無線回線品質の測定を行わないようにすることができる。これにより、無線回線品質の測定の効率化を図ることができる。
【０３１９】
（実施の形態３）
実施の形態３について、実施の形態２と異なる部分について説明する。
【０３２０】
実施の形態２では、たとえばＮID（２）やセルＩＤなどによるＰセルおよびＳセルとして接続可能か否かの使い分けについて説明した。この使い分けにおいて、セルＩＤは、セルＩＤに基づいて生成された同期信号同士が干渉とならないような、一定の間隔（距離）以上離れた場所であれば再利用可能である。しかし、上述したように多数のスモールセルが設置された場合に、セルＩＤはたとえば５０４個しか存在しないため、干渉が生じるおそれがある。
【０３２１】
これに対して、実施の形態３においては、たとえば位置登録エリア（トラッキングエリア：ＴＡ：Ｔｒａｃｋｉｎｇ  Ａｒｅａ）などのエリアを単位として、Ｐセルを示すセルＩＤおよびＳセルを示すセルＩＤの使い分けのルールを異なるものとする。これにより、多数のスモールセルの設定が可能となる。
【０３２２】
一例としては、あるエリアでは１０の倍数のセルＩＤをＰセルとし、他のセルＩＤはＳセルとする。また、別のエリアではセルＩＤを１０で除算した余りが３となるセルＩＤをＰセルとし、他のセルＩＤはＳセルとすることができる。
【０３２３】
たとえば位置登録エリアを跨いで端末９００が移動してハンドオーバが実施される場合は、セルＩＤの使い分けルールが変わる。このため、ハンドオーバの前に端末９００へルール変更を通知する。なお、ハンドオーバのための無線回線品質の測定が行われる前にルール変更を通知してもよい。
【０３２４】
（実施の形態３にかかる端末によるセル接続処理）
図１６は、実施の形態３にかかる端末によるセル接続処理の一例を示すフローチャートである。実施の形態３にかかる端末９００は、ＰセルまたはＳセルのセル接続処理として、たとえば図１６に示す各ステップを実行する。図１６に示すステップＳ１６０１，Ｓ１６０２は、図１０に示したステップＳ１００２，Ｓ１００３と同様である。
【０３２５】
ステップＳ１６０２のつぎに、端末９００は、ステップＳ１６０２によって同期したセルｎから位置登録エリア情報を受信する（ステップＳ１６０３）。また、端末９００は、ステップＳ１６０２によって同期したセルｎからセルＩＤ使い分け情報を受信する（ステップＳ１６０４）。また、端末９００は、ステップＳ１６０２によって同期したセルｎから優先度などのセル情報を受信する（ステップＳ１６０５）。ステップＳ１６０３〜Ｓ１６０５の順序は入れ替えてもよい。また、端末９００は、位置登録エリア情報、セルＩＤ使い分け情報、セル情報をセルｎのシステム情報としてまとめて受信してもよい。
【０３２６】
ステップＳ１６０６〜Ｓ１６１１は、図１０に示したステップＳ１００６〜Ｓ１０１１と同様である。また、端末９００は、Ｐセル接続時に、たとえば図１０に示した処理と同様に、ステップＳ１６０４によって受信したセルＩＤ使い分け情報と、セルｎからの同期信号と、に基づいて、セルｎがＰセルとして接続可能なセルか否かを判断してもよい。この場合は、端末９００は、Ｐセルとして接続可能でないセルｎについてはステップＳ１６１０の選択候補から除外してもよい。端末９００は、Ｐセルとして接続可能でないセルｎについてはステップＳ１６０６における測定対象とステップＳ１６０７における算出対象から除外してもよい。
【０３２７】
また、端末９００は、Ｓセル接続時に、たとえば図１４に示した処理と同様に、ステップＳ１６０４によって受信したセルＩＤ使い分け情報と、セルｎからの同期信号と、に基づいて、セルｎがＳセルとして接続可能なセルか否かを判断してもよい。この場合は、端末９００は、Ｓセルとして接続可能でないセルｎについてはステップＳ１６１０の選択候補から除外してもよい。端末９００は、Ｓセルとして接続可能でないセルｎについてはステップＳ１６０６における測定対象とステップＳ１６０７における算出対象から除外してもよい。
【０３２８】
（実施の形態３にかかる端末によるセル再選択時のセル接続処理）
図１７は、実施の形態３にかかる端末によるセル再選択時のセル接続処理の一例を示すフローチャートである。実施の形態３にかかる端末９００は、ＰセルまたはＳセルのセル再選択時のセル接続処理として、たとえば図１７に示す各ステップを実行する。図１７に示すステップＳ１７０１〜Ｓ１７１１は、図１６に示したステップＳ１６０１〜Ｓ１６１１と同様である。
【０３２９】
ただし、たとえばＰセル接続時に、ステップＳ１７１０において、端末９００は、Ｐセルとして接続可能なセルであると判断したセルの中から接続先のセルを再選択する。また、Ｓセル接続時に、ステップＳ１７１０において、端末９００は、Ｓセルとして接続可能なセルであると判断したセルの中から接続先のセルを再選択する。
【０３３０】
図１６，図１７に示したように、各セルからセルＩＤ使い分け情報を受信し、セルｎがＰセル（またはＳセル）として接続可能か否かを、セルｎから受信したセルＩＤ使い分け情報に基づいて判断することができる。これにより、位置登録エリアごとにセルＩＤ使い分け情報が異なっていても、各セルについてＰセル（またはＳセル）として接続可能か否かを正確に判断することができる。
【０３３１】
（実施の形態３にかかる基地局によるＳセル選択処理）
図１８は、実施の形態３にかかる基地局（Ｐセル）によるＳセル選択処理の一例を示すフローチャートである。実施の形態３において、端末９００がＰセルとして接続している基地局８００（たとえば基地局５１１）は、端末９００のためのＳセル選択処理として、たとえば図１８に示す各ステップを実行する。なお、図１８に示すＳセル選択処理は、たとえばＳセルのハンドオーバ時にも適用することができる。
【０３３２】
図１８に示すステップＳ１８０１は、図１３に示したステップＳ１３０１と同様である。ステップＳ１８０１のつぎに、基地局８００は、自セルの位置登録エリアを示す位置登録エリア情報を端末９００へ送信する（ステップＳ１８０２）。また、基地局８００は、自セルの位置登録エリアに対応するセルＩＤ使い分け情報を端末９００へ送信する（ステップＳ１８０３）。
【０３３３】
ステップＳ１８０１〜Ｓ１８０３の順序は入れ替えてもよい。また、端末９００は、位置登録エリア情報、セルＩＤ使い分け情報、セル情報をセルｎのシステム情報としてまとめて送信してもよい。図１８に示すステップＳ１８０４〜Ｓ１８１０は、図１３に示したステップＳ１３０２〜Ｓ１３０８と同様である。
【０３３４】
（位置登録エリアごとのセルＩＤ使い分け情報）
図１９Ａは、位置登録エリアごとのセルＩＤ使い分け情報の一例を示す図である。図１９Ａに示す位置登録エリア１９０１〜１９０４は、それぞれ複数（図１９Ａに示す例では６個）のＰセルが含まれている。また、図示しないが、Ｐセルの中には１つ以上のＳセルが形成される。セルＩＤ使い分け情報は、たとえば位置登録エリア１９０１〜１９０４のそれぞれについて割り当てられる。
【０３３５】
図１９Ａに示す例では、位置登録エリア１９０１，１９０４に対してはセルＩＤ使い分け情報としてルール番号「１」（図１５参照）が割り当てられている。また、位置登録エリア１９０２に対してはセルＩＤ使い分け情報としてルール番号「２」が割り当てられている。また、位置登録エリア１９０３に対してはセルＩＤ使い分け情報としてルール番号「３」が割り当てられている。このように、一部の複数の位置登録エリア（図１９Ａに示す例では位置登録エリア１９０１，１９０４）において同一のセルＩＤ使い分け情報が割り当てられてもよい。
【０３３６】
図１９Ｂは、端末の位置登録エリアの移動の一例を示す図である。図１９Ｂにおいて、図１９Ａに示した部分と同様の部分については同一の符号を付して説明を省略する。図１９Ｂに示す例では、端末９００（たとえば端末５０１）が、位置登録エリア１９０３、位置登録エリア１９０１、位置登録エリア１９０２の順に移動している。
【０３３７】
ここでは、端末９００が、たとえば図１５に示したテーブル１５００を記憶しているとする。この場合に、端末９００は、まず、位置登録エリア１９０３において、位置登録エリア１９０３のセルからルール番号「３」を受信し、テーブル１５００とルール番号「３」から導出されるセルＩＤ使い分け情報に基づいてＰセルおよびＳセルを区別する。
【０３３８】
つぎに、端末９００は、位置登録エリア１９０３から位置登録エリア１９０１へ移動すると、位置登録エリア１９０１のセルからルール番号「１」を受信する。そして、端末９００は、テーブル１５００とルール番号「１」から導出されるセルＩＤ使い分け情報に基づいてＰセルおよびＳセルを区別する。
【０３３９】
つぎに、端末９００は、位置登録エリア１９０１から位置登録エリア１９０２へ移動すると、位置登録エリア１９０２のセルからルール番号「２」を受信する。そして、端末９００は、テーブル１５００とルール番号「２」から導出されるセルＩＤ使い分け情報に基づいてＰセルおよびＳセルを区別する。
【０３４０】
また、上述したように、セルＩＤに基づいてパイロット系列（パイロット信号列）が作成される。パイロット系列は、パイロット系列間で干渉がないこと、すなわち無相関であることが望ましい。しかしながら、完全に系列間で無相関となる信号系列の作成は難しく、多少は相関が生じてしまう。すなわち、信号系列間で干渉が生じ、完全に分離（または識別）できない場合が生じる。
【０３４１】
そのため、隣接する（ここでは近傍にあるとの意味）セル間で、パイロットの干渉が生じない（または干渉が極力小さくなる）パイロット系列とすることが求められる。上述のようにセルＩＤに基づいてパイロット系列が作成されるため、干渉が小さくなる（干渉を低減する）ようにセルＩＤを選択することが望ましい。
【０３４２】
その手段の一つとして、たとえばセルＩＤの使い分けルール（セルＩＤ使い分け情報）を変更することが考えられる。また、Ｐセルに対してのみ無線回線品質の測定および測定結果の通知を実施することで、処理量を削減でき、セル選択に要する時間を短縮することができる。また、Ｓセルを追加する際にも同様に、Ｓセルに対してのみ無線回線品質の測定および測定結果の通知を実施することで、処理量を削減でき、セル選択に要する時間を短縮することができる。
【０３４３】
たとえば、位置登録エリア（たとえばトラッキングエリアＴＡ）の変更は、登録エリアを示す情報、たとえばＴＡＩ（Ｔｒａｃｋｉｎｇ  Ａｒｅａ  Ｉｎｄｉｃａｔｏｒ）を確認することで可能である。
【０３４４】
なお、位置登録は一定周期で実施しており、一定周期でＴＡＩを確認することとなる。すなわち、前回（Ｌａｓｔ）の位置登録時のＴＡＩと、今回（Ｃｕｒｒｅｎｔ）の位置登録時のＴＡＩを比較することにより、位置登録エリアが変わったか否かを確認することが可能である。
【０３４５】
さらに、上述のように、端末９００が待ち受け状態が一定期間以上維持されたことにより、回線を再設定する際やセル再選択時も同様に、新たにセルＩＤの使い分けルールを受信し、ルールに従いＰセルを識別しセル再選択を実施することができる。また、位置登録エリアの変更がない場合やセル再選択の場合などで、セルＩＤの使い分けルールの変更がない場合でも、使い分けルールの再設定を行ってもよい。
【０３４６】
さらに、使い分けルールは、位置登録エリアに従い、位置登録エリア内の全ての基地局８００から端末９００に対して実施される呼び出し時（ページング時）に、基地局８００または基地局８００の上位装置から端末９００に対して通知してもよい。基地局８００の上位装置は、ＬＴＥシステムではたとえばＭＭＥである。また、ハンドオーバ時にも同様に、基地局８００または基地局８００の上位装置から端末９００に対して使い分けルールの通知を行ってもよい。
【０３４７】
このように、実施の形態３によれば、ＰセルとＳセルでのセルＩＤの使い分けルールをエリアごとに設定することにより、たとえば多数のスモールセルが設置されるシステムにおいても干渉を抑えた使い分けが可能になる。
【０３４８】
（実施の形態４）
実施の形態４について、実施の形態２と異なる部分について説明する。実施の形態４においては、基地局８００からの同期信号の送信に対して、Ｐセル用とＳセル用とで異なる周波数（リソース）を割り当てることで、端末９００におけるＰセルとＳセルの選択誤りを抑制する。
【０３４９】
（実施の形態４にかかる基地局）
図２０Ａは、実施の形態４にかかる基地局の一例を示す図である。図２０Ｂは、図２０Ａに示した基地局における信号の流れの一例を示す図である。図２０Ａ，図２０Ｂにおいて、図８Ａ，図８Ｂに示した部分と同様の部分については同一の符号を付して説明を省略する。
【０３５０】
図２０Ａ，図２０Ｂに示すように、実施の形態４にかかるシステム情報管理・記憶部８２２は、後述の周波数使い分け情報を含むシステム情報をシステム情報作成部８３１へ通知する。たとえば、システム情報管理・記憶部８２２は、基地局８００が予め記憶している周波数使い分け情報をシステム情報に含める。または、システム情報管理・記憶部８２２は、基地局８００の上位装置（たとえばＭＭＥ）から受信した周波数使い分け情報をシステム情報に含めてもよい。
【０３５１】
（実施の形態４にかかる端末）
図２１Ａは、実施の形態４にかかる端末の一例を示す図である。図２１Ｂは、図２１Ａに示した端末における信号の流れの一例を示す図である。図２１Ａ，図２１Ｂにおいて、図９Ａ，図９Ｂに示した部分と同様の部分については同一の符号を付して説明を省略する。図２１Ａ，図２１Ｂに示すように、実施の形態４にかかる制御部９２０は、同期制御部９２１と、端末設定制御部９２２と、システム情報記憶部９２３と、無線回線制御部９２４と、セル選択制御部９２５と、を備える。
【０３５２】
実施の形態４にかかるシステム情報抽出部９１３が抽出するシステム情報には、上述した周波数使い分け情報が含まれる。セル選択制御部９２５は、システム情報抽出部９１３から出力されたシステム情報に含まれる周波数使い分け情報を取得する。または、セル選択制御部９２５は、システム情報抽出部９１３から出力されてシステム情報記憶部９２３に記憶されたシステム情報に含まれる周波数使い分け情報を取得してもよい。
【０３５３】
そして、セル選択制御部９２５は、Ｐセル選択時に、周波数使い分け情報に基づいてＰセルに対応する周波数を特定し、特定した周波数を示すＰセル周波数情報を受信無線部９１１へ出力する。これにより、受信無線部９１１において、Ｐセルに対応する周波数のみがバンドサーチされ、Ｐセルに対応する周波数のＲＳＳＩが受信無線部９１１からセル選択制御部９２５へ出力される。これに対して、セル選択制御部９２５は、Ｐセルに対応する周波数のうちの、受信無線部９１１から出力されたＲＳＳＩが閾値以上の周波数の各セルを、Ｐセルの選択候補とする。
【０３５４】
また、セル選択制御部９２５は、Ｓセル選択時に、周波数使い分け情報に基づいてＳセルに対応する周波数を特定し、特定した周波数を示すＳセル周波数情報を受信無線部９１１へ出力する。これにより、受信無線部９１１において、Ｓセルに対応する周波数のみがバンドサーチされ、Ｓセルに対応する周波数のＲＳＳＩが受信無線部９１１からセル選択制御部９２５へ出力される。これに対して、セル選択制御部９２５は、Ｓセルに対応する周波数のうちの、受信無線部９１１から出力されたＲＳＳＩが閾値以上の周波数の各セルを、Ｓセルの選択候補とする。
【０３５５】
（受信無線部）
図２２Ａは、受信無線部の一例を示す図である。図２２Ｂは、図２２Ａに示した受信無線部における信号の流れの一例を示す図である。図２２Ａ，図２２Ｂに示すように、受信無線部９１１は、アンプ２２０１と、ローカル発振器２２０２と、乗算部２２０３と、ＡＤＣ２２０４と、バンドサーチ部２２１０と、を備える。
【０３５６】
アンプ２２０１は、受信無線部９１１へ入力された信号を増幅し、増幅した信号を乗算部２２０３およびバンドサーチ部２２１０へ出力する。アンプ２２０１はたとえばＬＮＡ（Ｌｏｗ  Ｎｏｉｓｅ  Ａｍｐｌｉｆｉｅｒ：低雑音増幅器）である。
【０３５７】
ローカル発振器２２０２は、入力される受信用ローカル設定信号に応じた周波数の信号を発振して乗算部２２０３へ出力する。受信用ローカル設定信号は、たとえば図２１Ａ，図２１Ｂに示した端末設定制御部９２２から入力される。
【０３５８】
乗算部２２０３は、アンプ２２０１から出力された信号と、ローカル発振器２２０２から出力された信号と、を乗算し、乗算した信号をＡＤＣ２２０４へ出力する。これにより、受信信号の周波数変換を行うことができる。
【０３５９】
ＡＤＣ２２０４（Ａｎａｌｏｇ／Ｄｉｇｉｔａｌ  Ｃｏｎｖｅｒｔｅｒ：アナログ／デジタル変換器）は、乗算部２２０３から出力された信号をアナログ信号からデジタル信号に変換する。そして、ＡＤＣ２２０４は、デジタル信号に変換した信号を復調・復号部９１２（たとえば図２１Ａ，図２１Ｂ参照）へ出力する。
【０３６０】
バンドサーチ部２２１０は、アンプ２２０１から出力された信号に基づくバンドサーチを行う。バンドサーチ部２２１０は、ローカル発振器２２１１と、乗算部２２１２と、増幅器群２２１３と、バンドサーチ制御部２２１４と、を備える。
【０３６１】
ローカル発振器２２１１は、バンドサーチ制御部２２１４から出力されるバンドサーチ用ローカル設定信号に応じた周波数の信号を発振して乗算部２２１２へ出力する。
【０３６２】
乗算部２２１２は、アンプ２２０１から出力された信号と、ローカル発振器２２１１から出力された信号と、を乗算し、乗算した信号を増幅器群２２１３へ出力する。これにより、受信信号の周波数変換を行うことができる。
【０３６３】
増幅器群２２１３は、複数段の増幅器であって、乗算部２２１２から出力された信号を増幅する。増幅器群２２１３における飽和電流を集めて電圧に変換された信号がＲＳＳＩとしてバンドサーチ制御部２２１４へ出力される。
【０３６４】
バンドサーチ制御部２２１４は、セル選択制御部９２５（たとえば図２１Ａ，図２１Ｂ参照）から出力されたＰセル周波数情報に基づくバンドサーチ用ローカル設定信号をローカル発振器２２１１へ出力する。これにより、Ｐセル周波数情報が示す周波数のＲＳＳＩが増幅器群２２１３から出力される。また、バンドサーチ制御部２２１４は、セル選択制御部９２５から出力されたＳセル周波数情報に基づくバンドサーチ用ローカル設定信号をローカル発振器２２１１へ出力する。これにより、Ｓセル周波数情報が示す周波数のＲＳＳＩが増幅器群２２１３から出力される。
【０３６５】
バンドサーチ制御部２２１４は、増幅器群２２１３から出力されたＲＳＳＩを所定の閾値と比較し、ＲＳＳＩが閾値以上である場合に、ＲＳＳＩをバンドサーチの結果としてセル選択制御部９２５へ出力する。
【０３６６】
（実施の形態４にかかる端末によるＰセル接続処理）
図２３は、実施の形態４にかかる端末によるＰセル接続処理の一例を示すフローチャートである。実施の形態４にかかる端末９００は、Ｐセル接続処理として、たとえば図２３に示す各ステップを実行する。まず、端末９００は、周波数使い分け情報を読み出す（ステップＳ２３０１）。たとえば、端末９００は、端末９００のメモリに記憶された周波数使い分け情報を読み出す。つぎに、端末９００は、ｎを初期化（ｎ＝１）する（ステップＳ２３０２）。ｎは、システム内で使用される各周波数（セル）のインデックスが格納される変数である。
【０３６７】
つぎに、端末９００は、ステップＳ２３０１によって読み出した周波数使い分け情報に基づいて、周波数ｎが、Ｐセルとして接続可能なセルか否かを判断する（ステップＳ２３０３）。
【０３６８】
ステップＳ２３０３において、Ｐセルとして接続可能なセルでない場合（ステップＳ２３０３：Ｎｏ）は、端末９００は、ステップＳ２３０７へ移行する。Ｐセルとして接続可能なセルである場合（ステップＳ２３０３：Ｙｅｓ）は、端末９００は、バンドサーチにより周波数ｎのＲＳＳＩｎを測定する（ステップＳ２３０４）。
【０３６９】
つぎに、端末９００は、ステップＳ２３０４によって測定したＲＳＳＩｎが所定の閾値より高いか否かを判断する（ステップＳ２３０５）。ＲＳＳＩｎが閾値より高くない場合（ステップＳ２３０５：Ｎｏ）は、端末９００は、ステップＳ２３０７へ移行する。
【０３７０】
ステップＳ２３０５において、ＲＳＳＩｎが閾値より高い場合（ステップＳ２３０５：Ｙｅｓ）は、端末９００は、周波数ｎに対応するセルｎの無線回線品質を測定する（ステップＳ２３０６）。ステップＳ２３０６によって測定される無線回線品質は、たとえばＲＳＲＱやＲＳＲＰなどである。
【０３７１】
つぎに、端末９００は、ｎをインクリメント（ｎ＝ｎ＋１）する（ステップＳ２３０７）。つぎに、端末９００は、ｎがＫより大きくなったか否かを判断する（ステップＳ２３０８）。Ｋは、システム内で使用される各周波数（セル）の数である。ｎがＫより大きくなっていない場合（ステップＳ２３０８：Ｎｏ）は、端末９００は、ステップＳ２３０３へ戻る。
【０３７２】
ステップＳ２３０８において、ｎがＫより大きくなった場合（ステップＳ２３０８：Ｙｅｓ）は、端末９００は、ステップＳ２３０３においてＰセルとして接続可能なセルであると判断したセルの中から接続先のセルを選択する（ステップＳ２３０９）。接続先のセルの選択は、たとえばステップＳ２３０６によって測定された無線回線品質の比較結果に基づいて行われる。つぎに、端末９００は、ステップＳ２３１０へ移行する。ステップＳ２３１０は、たとえば図１０に示したステップＳ１０１１と同様である。
【０３７３】
図２４は、実施の形態４にかかる端末によるＰセル接続処理の変形例を示すフローチャートである。実施の形態４にかかる端末９００は、Ｐセル接続処理として、たとえば図２４に示す各ステップを実行してもよい。まず、端末９００は、基地局８００から周波数使い分け情報を受信する（ステップＳ２４０１）。たとえば、端末９００は、ある基地局に対して待ち受け（キャンプオン）または接続を実施するために、周辺基地局からの無線回線品質を測定し、測定結果が最も良好なセルを選択する。
【０３７４】
たとえば、端末９００は、受信電力を測定し、最も受信電力の高いセルを選択する。この受信電力は、たとえばＲＳＳＩなどの特定の信号（たとえばパイロット）に基づく受信電力とすることができる。また、この受信電力は、たとえば包絡線検波などに基づく受信電力としてもよい。そして、端末９００は、選択したセルに同期し、同期したセルから周波数使い分け情報を受信する。
【０３７５】
つぎに、端末９００は、ステップＳ２４０１によって受信した周波数使い分け情報を端末９００のメモリに記憶する（ステップＳ２４０２）。図２４に示すステップＳ２４０３〜Ｓ２４１２は、図２３に示したステップＳ２３０１〜Ｓ２３１０と同様である。ただし、ステップＳ２４０３において、端末９００は、ステップＳ２４０２によって記憶した周波数使い分け情報を読み出す。
【０３７６】
図２４に示したように、端末９００は、基地局８００から周波数使い分け情報を受信してもよい。これにより、たとえば、基地局によって周波数使い分け情報が異なる場合であっても、無線通信を行う基地局の周波数使い分け情報を取得することができる。
【０３７７】
図２３，図２４に示したように、ＰセルとＳセルで異なる周波数を割り当てることで、端末９００は同期信号の周波数によってＰセルか否かを判断することができる。これにより、たとえばＰセルとして接続できないセルを選択して接続することを抑制し、Ｐセルとして最適なセルを選択して接続することが可能となる。なお、ここで最適なセルとは、受信電力が最も高い基地局であってもよいし、受信信号品質が最もよいセルであってもよい。また、受信電力と受信信号品質の両方を考慮して最適なセルを選択することもできる。
【０３７８】
また、たとえば図２３，図２４に示したように、Ｐセルとして接続可能でないセルについてのＲＳＳＩの測定および無線回線品質の測定を行わないようにすることができる。これにより、無線回線品質の測定の効率化を図ることができる。
【０３７９】
（実施の形態４にかかる端末によるＳセル接続処理）
図２５は、実施の形態４にかかる端末によるＳセル接続処理の一例を示すフローチャートである。実施の形態４にかかる端末９００は、Ｓセル接続処理として、たとえば図２５に示す各ステップを実行する。
【０３８０】
図２５に示すステップＳ２５０１，Ｓ２５０２は、図２３に示したステップＳ２３０１，Ｓ２３０２と同様である。ステップＳ２５０２のつぎに、端末９００は、ステップＳ２５０１によって読み出した周波数使い分け情報に基づいて、周波数ｎが、Ｓセルとして接続可能なセルか否かを判断する（ステップＳ２５０３）。
【０３８１】
ステップＳ２５０３において、Ｓセルとして接続可能なセルでない場合（ステップＳ２５０３：Ｎｏ）は、端末９００は、ステップＳ２５０９へ移行する。Ｓセルとして接続可能なセルである場合（ステップＳ２５０３：Ｙｅｓ）は、端末９００は、バンドサーチにより周波数ｎのＲＳＳＩｎを測定する（ステップＳ２５０４）。
【０３８２】
つぎに、端末９００は、ステップＳ２５０４によって測定したＲＳＳＩｎが所定の閾値より高いか否かを判断する（ステップＳ２５０５）。ＲＳＳＩｎが閾値より高くない場合（ステップＳ２５０５：Ｎｏ）は、端末９００は、ステップＳ２５０９へ移行する。
【０３８３】
ステップＳ２５０５において、ＲＳＳＩｎが閾値より高い場合（ステップＳ２５０５：Ｙｅｓ）は、端末９００は、周波数ｎに対応するセルｎに同期する（ステップＳ２５０６）。つぎに、端末９００は、ステップＳ２５０６によって同期したセルｎの無線回線品質を測定する（ステップＳ２５０７）。ステップＳ２５０７によって測定される無線回線品質は、たとえばＲＳＲＱやＲＳＲＰなどである。
【０３８４】
つぎに、端末９００は、ステップＳ２５０７による無線回線品質の測定結果を、接続中のＰセルへ送信する（ステップＳ２５０８）。つぎに、端末９００は、ｎをインクリメント（ｎ＝ｎ＋１）する（ステップＳ２５０９）。つぎに、端末９００は、ｎがＫより大きくなったか否かを判断する（ステップＳ２５１０）。Ｋは、システム内で使用される各周波数（セル）の数である。ｎがＫより大きくなっていない場合（ステップＳ２５１０：Ｎｏ）は、端末９００は、ステップＳ２５０３へ戻る。
【０３８５】
ステップＳ２５１０において、ｎがＫより大きくなった場合（ステップＳ２５１０：Ｙｅｓ）は、端末９００は、ステップＳ２５１１へ移行する。ステップＳ２５１１，Ｓ２５１２は、たとえば図１２に示したステップＳ１２１１，Ｓ１２１２と同様である。
【０３８６】
図２６は、実施の形態４にかかる端末によるＳセル接続処理の変形例１を示すフローチャートである。実施の形態４にかかる端末９００は、Ｓセル接続処理として、たとえば図２６に示す各ステップを実行してもよい。図２６に示すステップＳ２６０１，Ｓ２６０２は、図２４に示したステップＳ２４０１，Ｓ２４０２と同様である。
【０３８７】
ステップＳ２６０３〜Ｓ２６１４は、図２５に示したステップＳ２５０１〜Ｓ２５１２と同様である。ただし、ステップＳ２６０３において、端末９００は、ステップＳ２６０２によって記憶した周波数使い分け情報を読み出す。
【０３８８】
図２５，図２６に示したように、ＰセルとＳセルで異なる周波数を割り当てることで、端末９００は同期信号の周波数によってＳセルか否かを判断することができる。これにより、たとえばＳセルとして接続できないセルを選択して接続することを抑制し、Ｓセルとして最適なセルを選択して接続することが可能となる。なお、ここで最適なセルとは、受信電力が最も高い基地局であってもよいし、受信信号品質が最もよいセルであってもよい。また、受信電力と受信信号品質の両方を考慮して最適なセルを選択することもできる。
【０３８９】
また、たとえば図２５，図２６に示したように、Ｓセルとして接続可能でないセルについてのＲＳＳＩの測定および無線回線品質の測定を行わないようにすることができる。これにより、無線回線品質の測定の効率化を図ることができる。
【０３９０】
この場合に、基地局８００によるＳセル選択処理は、たとえば図１３に示したＳセル選択処理とすることができる。
【０３９１】
（実施の形態４にかかる端末によるＳセル選択）
Ｓセルの選択を基地局８００において説明する場合について説明したが、Ｓセルの選択を端末９００において行ってもよい。
【０３９２】
図２７は、実施の形態４にかかる端末によるＳセル接続処理の変形例２を示すフローチャートである。端末９００は、Ｓセル接続処理として、たとえば図２７に示す各ステップを実行してもよい。図２７に示すステップＳ２７０１〜Ｓ２７０７は、図２５に示したステップＳ２５０１〜Ｓ２５０７と同様である。ステップＳ２７０８〜Ｓ２７１２は、図１４に示したステップＳ１４０６〜Ｓ１４１０と同様である。
【０３９３】
このように、実施の形態４によれば、階層化セル構成において、基地局８００からの同期信号の送信に対して、Ｐセル用とＳセル用とで異なる周波数（リソース）を割り当てることで、端末９００におけるＰセルとＳセルの選択誤りを抑制することができる。
【０３９４】
たとえば、３ＧＰＰ（たとえばＬＴＥシステム）では、以下に示すように使用周波数帯域が設定されている。たとえば米国ではＥ−ＵＴＲＡＮ  Ｏｐｅｒａｔｉｎｇ  ＢａｎｄのＢａｎｄ５が用いられている。Ｂａｎｄ５は、アップリンク（ＵＬ：Ｕｐ  Ｌｉｎｋ）では８２４〜８４９［ＭＨｚ］、ダウンリンク（ＤＬ：Ｄｏｗｎ  Ｌｉｎｋ）では８６９〜８９４［ＭＨｚ］である。
【０３９５】
また、欧州ではたとえばＥ−ＵＴＲＡＮ  Ｏｐｅｒａｔｉｎｇ  ＢａｎｄのＢａｎｄ２０が用いられている。Ｂａｎｄ２０は、アップリンクでは８３２〜８６２［ＭＨｚ］、ダウンリンクでは７９１〜８２１［ＭＨｚ］である。
【０３９６】
また、日本ではたとえばＥ−ＵＴＲＡＮ  Ｏｐｅｒａｔｉｎｇ  ＢａｎｄのＢａｎｄ１が用いられている。Ｂａｎｄ１は、アップリンクでは１９２０〜１９８０［ＭＨｚ］、ダウンリンクでは２１１０〜２１７０［ＭＨｚ］である。
【０３９７】
従来の端末は、電源投入を行うと、その周辺の基地局がどの帯域（バンド）を用いて送信を実施しているかわからない状態であるため、使用可能な帯域の全てに対して、閾値以上の受信電力（たとえばＲＳＲＰやＲＳＳＩ）となる周波数を捜す。これはバンドサーチと呼ばれている。また、端末は、閾値以上の受信電力となった周波数に対して無線回線品質の測定を実施し、セル選択を行う。
【０３９８】
また、階層化セル構成を実施する場合は、小セルの領域は大セルの領域に少なくとも一部領域が重なることとなる。よって、小セルと大セルの周波数を同じとしてしまうと干渉してしまい、通信品質が低下し、通信が不可能となる場合もある。よって、一般的には、小セルと大セルの周波数を異ならせている。
【０３９９】
干渉量を低くするためには、隣接する周波数と周波数帯の異なる周波数であることが望ましい。なお、ここで言う周波数とは、たとえばＷ−ＣＤＭＡであればその帯域幅は５［ＭＨｚ］であり、ＬＴＥであればその帯域幅の最大値は２０［ＭＨｚ］である。すなわち、ここで言う周波数とは、帯域幅を持つ周波数のことである。
【０４００】
これに対して、実施の形態４においては、大セルで使用する周波数帯（バンド）と小セルで使用する周波数帯（バンド）を使い分ける。これにより、たとえば小セルをＰセルとして選択しないようにすることができる。また、たとえば大セルをＳセルとして選択しないようにすることができる。
【０４０１】
たとえば、無線通信システムを運用するオペレータにおいて、複数の帯域が使用可能であるとする。たとえば、ＬＴＥシステムであれば、Ｅ−ＵＴＲＡ  ＯｐｅｒａｔｉｎｇのＢａｎｄ１８をＰセル用の周波数とし、Ｅ−ＵＴＲＡ  ＯｐｅｒａｔｉｎｇのＢａｎｄ１をＳセル用周波数帯域とする。または、Ｂａｎｄ１をＰセル用の周波数とし、Ｂａｎｄ４０をＳセル用としてもよい。これらの使い分けを示す周波数使い分け情報が基地局８００から端末９００へ送信する。これに対して、端末９００は、受信した周波数使い分け情報を記憶しておく。
【０４０２】
または、端末９００のＳＩＭ（Ｓｕｂｓｃｒｉｂｅｒ  Ｉｄｅｎｔｉｔｙ  Ｍｏｄｕｌｅ：加入者識別モジュール）カードなどオペレータや電話番号を登録する際に、周波数使い分け情報を書き込んでおいてもよい。また、オペレータ単位ではなく、国単位で小セル用周波数、大セル用周波数を規定してもよいし、ＬＴＥ仕様として小セル用周波数、大セル用周波数を規定してもよい。
【０４０３】
端末９００は、このように予め記憶しておいた周波数使い分け情報と閾値に基づいてバンドサーチを実施する。たとえば、端末９００は、周波数使い分け情報に基づいて、Ｐセルとして接続可能なセルの周波数におけるＲＳＳＩを測定するようにバンドサーチを行う。そして、端末９００は、測定したＲＳＳＩと閾値を比較し、閾値以上であるセルがＰセルとして接続可能なセルであると判断することができる。
【０４０４】
また、端末９００は、周波数使い分け情報に基づいて、Ｓセルとして接続可能なセルの周波数におけるＲＳＳＩを測定するようにバンドサーチを行う。そして、端末９００は、測定したＲＳＳＩと閾値を比較し、閾値以上であるセルがＳセルとして接続可能なセルであると判断することができる。
【０４０５】
なお、実施の形態４において、ＲＳＳＩを用いたバンドサーチを例として説明したが、ＲＳＳＩに代えてＲＳＲＰやＣＱＩを用いてもよい。この場合は、たとえばセル選択制御部９２５は、周波数使い分け情報に基づいて、受信無線部９１１のバンドサーチ部２２１０ではなく無線回線品質測定・算出部９１８を制御することで、ＰセルやＳセルのＲＳＲＰやＣＱＩを取得する。
【０４０６】
（実施の形態５）
実施の形態５について、実施の形態４と異なる部分について説明する。
【０４０７】
実施の形態４では、周波数によるＰセルおよびＳセルとして接続可能か否かの使い分けについて説明した。この使い分けにおいて、周波数は、同期信号同士が干渉とならないような、一定の間隔（距離）以上離れた場所であれば再利用可能である。しかし、上述したように多数のスモールセルが設置された場合に、使用可能な周波数は限られているため、干渉が生じるおそれがある。
【０４０８】
これに対して、実施の形態５においては、たとえば位置登録エリアなどのエリアを単位として、Ｐセルの周波数およびＳセルの周波数の使い分けのルールを異なるものとする。これにより、多数のスモールセルの設定が可能となる。この周波数の使い分けのルールのエリアごとの設定は、実施の形態４において説明したセルＩＤの使い分けのルールのエリアごとの設定と同様である。
【０４０９】
以上説明したように、システム、基地局および端末によれば、セルの誤選択を抑制することができる。
【０４１０】
たとえば、従来、基地局は、階層化セル構成における優先度やセル選択におけるオフセットをセル選択情報として端末に通知していた。しかしながら、優先度やオフセットを用いて小セルが選択されるようにしたとしても、小セルが選択されるとは限らないという問題があった。特に、図５Ｂに示すように、階層化セル構成において大セルをＰセル、小セルをＳセルとして通信が行われる場合は、Ｐセルに小セルが選択されてしまうと、目的にあった通信の形態とならなくなってしまう。
【０４１１】
たとえば、小セルの近辺では遠方の大セルよりも小セルの方が、受信強度が大きくなる場合があり、単純に受信強度の大きさに基づいてＰセルを選択したのでは、大セルをＰセルにすることができるとは限らない。また、優先度に応じて測定結果を調整する従来の方法では、大セル（マクロ基地局）と端末の位置関係（遠近）によって小セルに対する大セルのプライオリティを異ならせることが求められる。しかし、プライオリティなどの設定情報をブロードキャスト配信する関係上、同じ内容のものしか送信できない。
【０４１２】
以下、これらの問題について詳細に説明する。
【０４１３】
＜Ｐセルの選択誤り＞
受信電力を基にセル選択を実施する場合を例として説明する。たとえば、セルの優先度を用いる場合、優先度が数値化、数値が大きいほど優先度が高いとする。このとき、セルの優先度と受信電力を乗算した値を基に、セル選択を実施するとする。この場合は、たとえば同じ受信電力であれば優先度が高いセルが選択される。
【０４１４】
しかし、この場合、優先度が低く受信電力が高いセルと、優先度が高く受信電力が低いセルで、選択されるセルが異なる場合が想定される。すなわち、優先度が高いセルが選択されるとは限らない。
【０４１５】
また、上述のように、従来、端末の低消費電力化や周波数利用効率の改善のために、小セルに対して優先的に接続することが目的となっている。すなわち、小セルの優先度が大セルの優先度と比較して高く設定される。また、小セルのオフセットが大セルのオフセットと比較して大きく設定される。よって、小セルが優先的にＰセルとして選択されてしまう場合がある。
【０４１６】
小セルをＰセルとして選択し、小セルではデータのみ伝送するとされていた場合、ランダムアクセスにより回線接続後の制御信号を受信できなくなり、Ｓセルの追加などの回線設定に支障が生じる。なお、受信電力とオフセットを用いてセル選択した場合についても、同様に、小セルがＰセルとして選択される場合もある。
【０４１７】
これらの問題は、従来の優先度やオフセットが、大セルがＰセルであり小セルがＳセルとなるとの制限がない階層化セル構成を前提としているために生じる問題点である。
【０４１８】
＜Ｓセルの選択誤り＞
仮に大セルをＰセルとして選択できた場合に、続いて小セルをＳセルとして選択することになる。Ｓセルの選択においても、Ｐセルの選択と同様に、セルの優先度やオフセットが用いられる。ここで、従来の優先度やオフセットは、１つのセルを選択するためのものであり、複数のセルを利用するためのものではない。
【０４１９】
しかし、Ｐセルの選択のために設定された優先度やオフセットがＳセルの選択においても用いられることとなる。この結果、大セルがＳセルとして選択される場合があり、階層化セル構成とした意味がないものとなってしまう。
【０４２０】
＜１つのオフセットしか設定できないため生じる問題＞
まず、１つのオフセットしか設定できない場合について説明する。たとえば、キャリアアグリゲーションを実施し、マクロセルをＰセル、ピコセルをＳセルとする場合のセル選択時に、Ｐセルを優先的に選択するように、Ｐセルからの受信電力に加算するオフセットを設定している場合を考える。なお、このオフセットは、キャリアアグリゲーションの実施の有無に係わらず設定されるものとする。
【０４２１】
キャリアアグリゲーションを実施し、マクロセル（Ｐセル）を優先的に選択する場合について説明する。この場合は、（端末とマクロセルとの間の距離）＞（端末とピコセルとの間の距離）となったときに、距離に依存して伝搬損が生じる環境ではマクロセルからの受信電力ＲX_macroよりもピコセルからの受信電力ＲX_picoが高くなる。
【０４２２】
このため、マクロセルを選択するように、マクロセルからの受信電力オフセット（Ｏｆｆｓｅｔ）が設定されているにも係わらず、ＲX_macro＋Ｏｆｆｓｅｔ＜ＲX_picoとなってしまい、選択すべきマクロセルではなくピコセルを選択してしまう場合がある。さらに、（端末とマクロセルとの間の距離）＞（端末とピコセルとの間の距離）の場合であっても、同様にピコセルが選択されてしまう場合がある。
【０４２３】
また、キャリアアグリゲーションを実施せず、上述したオフセットを設定している場合を考える。（端末とマクロセルとの間の距離）＞（端末とピコセルとの間の距離）となった場合は、マクロセルの受信電力がピコセルの受信電力より小さくても、オフセットを加算することによりマクロセルが選択される。
【０４２４】
しかし、キャリアアグリゲーションを実施していないため、マクロセルとピコセルの両方に接続するのではなく、どちらか一方を選択し回線設定を実施すればよい。さらに、ピコセルからの受信電力が高いため、ピコセルとの無線回線品質は、マクロセルとの無線回線品質より良好である。このため、ピコセルを選択すべきである。
【０４２５】
しかしながら、キャリアアグリゲーションを実施するためのマクロセルを優先的に選択するようになってしまい、無線回線品質（または無線伝送速度）の悪いマクロセルと接続することになってしまう。
【０４２６】
このように、ある１つのセルに対してオフセットを設定しても必ずしも意図したようにセル選択を実施できない場合がある。さらに、ある１つのセルに対してオフセットを１つしか設定できないとしてしまうと、キャリアアグリゲーションの実施の有無など切り換えに対応できず、柔軟な運用が困難になる。
【０４２７】
＜１つの優先度しか設定できないため生じる問題＞
つぎに、１つの優先度しか設定できない場合について説明する。キャリアアグリゲーションを実施し、マクロセルをＰセル、ピコセルをＳセルとする場合のセル選択時に、Ｐセルを優先的に選択するように、マクロセルの優先度をピコセルの優先度より高く設定した場合を考える。
【０４２８】
ここでは、説明の簡略化のために、マクロセルの優先度を２、ピコセルの優先度を１とし、受信電力に優先度を乗算する場合について説明する。まず、キャリアアグリゲーションを実施し、マクロを優先的に選択する場合について説明する。
【０４２９】
この場合は、（端末とマクロセルとの間の距離）＞（端末とピコセルとの間の距離）となった場合、距離に依存して伝搬損が生じる環境ではマクロからの受信電力ＲX_macroよりもピコセルからの受信電力ＲX_picoが高くなる。これに対して、マクロセルを選択するように、マクロセルに対してピコセルよりも高い優先度を設定する。
【０４３０】
しかしながら、ＲX_macro×Ｐri_macro＜ＲX_pico×Ｐri_picoとなってしまい、選択すべきマクロセルではなくピコセルを選択してしまう場合がある。なお、Ｐri_macroはマクロセルの優先度であり、Ｐri_picoはピコセルの優先度である。たとえば、マクロセルの優先度が２、ピコセルの優先度が１であれば、マクロセルの受信電力がピコセルの受信電力の１／２以下のときにピコセルを選択してしまう場合がある。
【０４３１】
また、キャリアアグリゲーションを実施せずに優先度を設定している場合を考える。（端末とマクロセルとの間の距離）＞（端末とピコセルとの間の距離）となった場合は、マクロセルの受信電力がピコセルの受信電力より小さい場合であっても優先度によってマクロセルが選択される。
【０４３２】
しかし、キャリアアグリゲーションを実施していないため、マクロセルとピコセルの両方に接続するのではなく、どちらか一方を選択し回線設定を実施すればよい。さらに、ピコセルからの受信電力が高いため、ピコセルとの無線回線品質は、マクロセルとの無線回線品質より良好である。このため、ピコセルを選択すべきである。
【０４３３】
しかしながら、キャリアアグリゲーションを実施するためのマクロセルを優先的に選択するようになってしまい、無線回線品質（または無線伝送速度）の悪いマクロセルと接続することになってしまう。
【０４３４】
このように、ある１つのセルに対して優先度を設定しても、意図したようにセルが選択されない場合がある。さらに、ある１つのセルに対して優先度を１つしか設定できないとしてしまうと、キャリアアグリゲーションの実施の有無など切り換えに対応できず、柔軟な運用が困難になる。
【０４３５】
＜セル再選択時にＰセルとして使用可能なセルを選択できない場合＞
上記にて、発呼に際してのセル選択について説明した。これに対して、端末が、あるセルに対してキャンプオン（Ｃａｍｐ  Ｏｎ）状態であり、一定時間以上連続してデータ受信を実施しない場合、そのセルに対する待ち受けを停止する場合、端末の移動によりそれ以前のセルとは異なる場所に移動した場合がある。これらの場合に、回線を更新または再設定することが求められ、そのためにセル再選択が実施される。セル再選択においても、セルの初回選択と同様に、Ｓセルとなるピコセルを選択し、そのピコセルに対して回線接続を要求する可能性がある。
【０４３６】
このように、従来、階層化セル構成としたことによるセルの誤選択の問題があった。これに対して、上述した各実施の形態によれば、階層化セル構成において、端末が同期するための基地局からの同期信号の送信に対して、Ｐセル用とＳセル用とで異なるセルＩＤなどのリソースを割り当てる。これにより、端末におけるＰセルとＳセルの選択誤りを抑制することができる。
【０４３７】
なお、上述した各実施の形態においては、２つのコンポーネントキャリア（すなわちＰセルとＳセルを１つずつ）でキャリアアグリゲーションを実施する場合について説明した。ただし、２つ目以降のＳセルを追加していくことで、３つ以上のコンポーネントキャリアでキャリアアグリゲーションを実施することもできる。
【０４３８】
また、本願発明をＬＴＥ−Ａｄｖａｎｃｅｄシステムに適用する場合について説明したが、本願発明は、たとえば階層化セル構成で複数のセル（帯域）を同時に用いて通信を行うシステムに適用することができる。このようなシステムには、一例としてはＷ−ＣＤＭＡのＤＣ−ＨＳＤＰＡや４Ｃ−ＨＳＤＰＡなどがある。
【０４３９】
また、３ＧＰＰではセルの大きな差が異なるセルが配置された構成をヘテロジニアスネットワーク（ＨｅｔＮｅｔ：Ｈｅｔｅｒｏｇｅｎｅｏｕｓ  Ｎｅｔｗｏｒｋ）と呼んでおり、階層化セル構成もヘテロジニアスネットワークである。すなわち、本願発明はヘテロジニアスネットワークに対して実施することも可能である。
【０４４０】
上述した各実施の形態に関し、さらに以下の付記を開示する。
【０４４１】
（付記１）第１リソースが割り当てられる第１種別の第１のセルと、前記第１種別のセルに付随させることで接続可能であり第２リソースが割り当てられる第２種別の第２のセルと、を同時に用いた無線通信を行う端末と、
少なくとも１つの前記第１のセルを形成し、前記第１のセルに割り当てられた前記第１リソースに基づく同期信号を送信する１つ以上の基地局と、
を含み、
前記端末は、前記第１のセルから送信された前記同期信号および／または前記第１のセルに対する前記第１リソースの割り当てに関する割当情報を受信し、前記１つ以上の基地局が形成する前記１つ以上の第１のセルから第１のセルを選択する、
ことを特徴とするシステム。
【０４４２】
（付記２）１つ以上の前記基地局によって前記第１種別のセルが複数形成され、
前記端末は、前記同期信号および／または前記割当情報に基づいて前記第１種別の複数のセルを特定し、特定した前記第１種別の複数のセルの各無線回線品質を測定し、前記第１種別の複数のセルの中から前記第１のセルを選択する、
ことを特徴とする付記１に記載のシステム。
【０４４３】
（付記３）前記基地局（以下、「第１基地局」と称する）が形成する前記セル（以下、「第１セル」と称する）と異なる前記第２種別の第２セルを形成し、前記第２セルのリソースに基づく同期信号を送信する、前記第１基地局と同じまたは異なる第２基地局を含み、
前記端末は、送信された前記同期信号および／または前記第２リソースの割当情報に基づいて前記第２セルを前記第２種別のセルに選択する、
ことを特徴とする付記１または２に記載のシステム。
【０４４４】
（付記４）１つ以上の前記第２基地局によって前記第２種別のセルが複数形成され、
前記端末は、前記同期信号および／または前記割当情報に基づいて前記第２種別の複数のセルを特定し、特定した前記第２種別の複数のセルの前記端末における各無線回線品質の測定結果を前記第１基地局へ通知し、
前記第１基地局は、前記第２種別の複数のセルのうちの少なくとも１の前記無線通信の前記第２種別のセルを前記端末へ通知し、
前記端末は、前記第１セルに付随させて、前記第１基地局によって通知された前記第２セルに接続して前記無線通信を行う、
ことを特徴とする付記３に記載のシステム。
【０４４５】
（付記５）１つ以上の前記第２基地局によって前記第２種別のセルが複数形成され、
前記端末は、前記同期信号および／または前記割当情報に基づいて前記第２種別の複数のセルを特定し、特定した前記第２種別の複数のセルの前記端末における各無線回線品質の測定結果に基づいて、前記第２種別の複数のセルの中から前記第２のセルを選択する、
ことを特徴とする付記３に記載のシステム。
【０４４６】
（付記６）前記リソースは、セルの識別情報、またはセルの識別情報に関するパラメータであることを特徴とする付記１〜５のいずれか一つに記載のシステム。
【０４４７】
（付記７）前記第１リソースはセルの第１周波数であり、
前記第２リソースは前記第１周波数と異なるセルの第２周波数である、
ことを特徴とする付記１〜５のいずれか一つに記載のシステム。
【０４４８】
（付記８）前記端末は、前記第１種別のセルに対する前記第１周波数の割り当てに関する前記割当情報に基づいて、前記第１周波数のバンドサーチを行い、前記バンドサーチの結果に基づいて前記第１のセルを選択することを特徴とする付記７に記載のシステム。
【０４４９】
（付記９）前記第１周波数は、前記第２周波数より低い周波数であることを特徴とする付記７または８に記載のシステム。
【０４５０】
（付記１０）前記基地局は、前記割当情報を報知し、
前記端末は、前記基地局によって報知された前記割当情報に基づいて前記第１のセルを選択する、
ことを特徴とする付記１〜９のいずれか一つに記載のシステム。
【０４５１】
（付記１１）前記割当情報はエリアごとに設定され、
前記端末は、在圏するエリアに対応する前記割当情報に基づいて前記第１のセルを選択する、
ことを特徴とする付記１〜１０のいずれか一つに記載のシステム。
【０４５２】
（付記１２）前記無線通信は、前記第１種別のセルと、前記第１種別のセルに含まれ前記第１種別のセルより小さい前記第２種別のセルと、を同時に用いた無線通信であることを特徴とする付記１〜１１のいずれか一つに記載のシステム。
【０４５３】
（付記１３）前記無線通信はキャリアアグリゲーションであり、
前記第１種別のセルはプライマリセルであり、
前記第２種別のセルはセカンダリセルである、
ことを特徴とする付記１〜１２のいずれか一つに記載のシステム。
【０４５４】
（付記１４）端末が、第１リソースが割り当てられる第１種別の第１のセルと、前記第１種別のセルに付随させることで接続可能であり第２リソースが割り当てられる第２種別の第２のセルと、を同時に用いた無線通信を行うシステムにおいて、
前記第１種別の第１のセルを形成し、
前記第１のセルに割り当てられた第１リソースに基づく同期信号を送信する送信部と、
前記送信された前記同期信号および／または前記割り当てられた前記第１リソースに関する割当情報に基づいて、前記第１のセルを前記第１種別のセルに選択した端末の接続を制御する制御部と、
を備えることを特徴とする基地局。
【０４５５】
（付記１５）第１リソースが割り当てられる第１種別の第１のセルと、前記第１種別のセルに付随させることで接続可能であり第２リソースが割り当てられる第２種別の第２のセルと、を同時に用いた無線通信を行い、
前記第１のセルを形成する基地局から、前記第１のセルに割り当てられた第１リソースに基づく同期信号を受信する受信部と、
受信した前記同期信号と、前記第１リソースの割り当てに関する割当情報と、に基づいて、前記第１のセルを前記第１種別のセルに選択する制御部と、
を備えることを特徴とする端末。
【０４５６】
（付記１６）第１リソースが割り当てられる第１種別の第１のセルと、前記第１種別のセルに付随させることで接続可能であり第２リソースが割り当てられる第２種別の第２のセルと、を同時に用いた無線通信を行う端末と、
少なくとも１つの前記第２のセルを形成し、前記第２のセルに割り当てられた第２リソースに基づく同期信号を送信する基地局と、
を含み、
前記端末は、送信された前記同期信号と、前記第２リソースの割り当てに関する割当情報と、に基づいて、前記第２のセルを前記第２種別のセルに選択する、
ことを特徴とするシステム。
【０４５７】
（付記１７）端末が、第１リソースが割り当てられる第１種別の第１のセルと、前記第１種別のセルに付随させることで接続可能であり第２リソースが割り当てられる第２種別の第２のセルと、を同時に用いた無線通信を行うシステムにおいて前記第２のセルを形成し、
前記第２のセルに割り当てられた第２リソースに基づく同期信号を送信する送信部と、
前記送信された前記同期信号および／または前記割り当てられた前記第２リソースに関する割当情報に基づいて、前記第２のセルを前記第２のセルに選択した端末の接続を制御する制御部と、
を備えることを特徴とする基地局。
【０４５８】
（付記１８）第１リソースが割り当てられる第１種別の第１のセルと、前記第１種別のセルに付随させることで接続可能であり第２リソースが割り当てられる第２種別の第２のセルと、を同時に用いた無線通信を行い、
前記第２のセルを形成する基地局から、前記第２のセルに割り当てられた第２リソースに基づく同期信号を受信する受信部と、
受信した前記同期信号と、前記第２リソースの割り当てに関する割当情報と、に基づいて、前記基地局が形成する前記第２のセルを前記無線通信の前記第２種別のセルに選択する制御部と、
を備えることを特徴とする端末。
【符号の説明】
【０４５９】
１００  システム
１１０，１２０，２２１〜２２３，５１１，５３１〜５３８，８００  基地局
１１１，１２１，８３０，９３０  送信部
１１２，１２２，１３２，８２０，９２０  制御部
１３０，５０１，９００  端末
１３１，８１０，９１０  受信部
２００，５００  通信システム
２１１，２１２  ＭＭＥ／Ｓ−ＧＷ
３１０，３２０  システム帯域
５２１  大セル
５４１〜５４８  小セル
８０１，９０１  アンテナ
８１１，９１１  受信無線部
８１２，９１２  復調・復号部
８１３  無線回線品質情報抽出部
８１４，９１４  無線回線制御情報抽出部
８２１，９２４  無線回線制御部
８２２  システム情報管理・記憶部
８３１  システム情報作成部
８３２，９２６  同期信号作成部
８３３  パイロット作成部
８３４  無線回線制御情報作成部
８３５，９３３  符号化・変調部
８３６，９３４  送信無線部
８４０，９４０  通信装置
８４１，９４１  ＬＳＩ
８４２，９４２  ＤＳＰ
８４３，９４３  メモリ
８４４  通信インタフェース
９１３  システム情報抽出部
９１５  同期信号抽出部
９１６  セルＩＤ抽出部
９１７  パイロット算出部
９１８  無線回線品質測定・算出部
９１９  パイロット抽出部
９２１  同期制御部
９２２  端末設定制御部
９２３  システム情報記憶部
９２５  セル選択制御部
９３１  無線回線品質情報作成部
９３２  無線回線制御信号作成部
９４４  表示部
９４５  マイク
９４６  拡声器
１５００  テーブル
１９０１〜１９０４  位置登録エリア
２２０１  アンプ
２２０２，２２１１  ローカル発振器
２２０３，２２１２  乗算部
２２０４  ＡＤＣ
２２１０  バンドサーチ部
２２１３  増幅器群
２２１４  バンドサーチ制御部
【図１Ａ】
2015211292.tif 000017
【図１Ｂ】
2015211292.tif 000018
【図１Ｃ】
2015211292.tif 000019
【図１Ｄ】
2015211292.tif 000020
【図２】
2015211292.tif 000021
【図３Ａ】
2015211292.tif 000022
【図３Ｂ】
2015211292.tif 000023
【図３Ｃ】
2015211292.tif 000024
【図４Ａ】
2015211292.tif 000025
【図４Ｂ】
2015211292.tif 000026
【図４Ｃ】
2015211292.tif 000027
【図５Ａ】
2015211292.tif 000028
【図５Ｂ】
2015211292.tif 000029
【図６Ａ】
2015211292.tif 000030
【図６Ｂ】
2015211292.tif 000031
【図６Ｃ】
2015211292.tif 000032
【図７Ａ】
2015211292.tif 000033
【図７Ｂ】
2015211292.tif 000034
【図８Ａ】
2015211292.tif 000035
【図８Ｂ】
2015211292.tif 000036
【図８Ｃ】
2015211292.tif 000037
【図９Ａ】
2015211292.tif 000038
【図９Ｂ】
2015211292.tif 000039
【図９Ｃ】
2015211292.tif 000040
【図１０】
2015211292.tif 000041
【図１１】
2015211292.tif 000042
【図１２】
2015211292.tif 000043
【図１３】
2015211292.tif 000044
【図１４】
2015211292.tif 000045
【図１５】
2015211292.tif 000046
【図１６】
2015211292.tif 000047
【図１７】
2015211292.tif 000048
【図１８】
2015211292.tif 000049
【図１９Ａ】
2015211292.tif 000050
【図１９Ｂ】
2015211292.tif 000051
【図２０Ａ】
2015211292.tif 000052
【図２０Ｂ】
2015211292.tif 000053
【図２１Ａ】
2015211292.tif 000054
【図２１Ｂ】
2015211292.tif 000055
【図２２Ａ】
2015211292.tif 000056
【図２２Ｂ】
2015211292.tif 000057
【図２３】
2015211292.tif 000058
【図２４】
2015211292.tif 000059
【図２５】
2015211292.tif 000060
【図２６】
2015211292.tif 000061
【図２７】
2015211292.tif 000062